(57)【要約】【課題】作業者の安全ミーティングへの参加について、客観的に証明することができる安全管理システムを提供することである。【解決手段】安全管理システム１００は、管理システムサーバ１、現場管理者用スマートフォン２などが、インターネット６により接続された構成になっている。現場管理者が現場作業員に安全指導や安全点検を行う安全ミーティングの、実施内容が記録される安全ミーティング実施記録８０１と、安全ミーティングへの参加者が撮影されており、参加者の顔が認識できて、参加者が安全ミーティングに参加したことを特定できる安全ミーティング参加者画像８１１が、現場管理者用スマートフォン２から送信されて、管理システムサーバ１に受信される。管理システムサーバ１では、関連づけ情報に基づいて、安全ミーティング実施記録８０１と、安全ミーティング参加者画像８１１とを合成して安全ミーティング帳票が作成される。【選択図】図１５
2020067686.tif 000002
【特許請求の範囲】
【請求項１】
現場管理者が現場作業員に安全指導や安全点検を行う安全ミーティングの、実施内容が記録される安全ミーティング実施記録を含む実施記録情報を受け付ける実施記録受付部と、
安全ミーティングへの参加者が撮影されており、参加者の顔が認識できて、参加者が安全ミーティングに参加したことを特定できる安全ミーティング参加者画像を含む参加者画像情報を受け付ける参加者画像受付部と、
同一の安全ミーティングに対する記録であることを検出できる関連づけ情報に基づいて、前記実施記録受付部で受け付けられる前記実施記録情報から取得される前記安全ミーティング実施記録と、前記参加者画像受付部で受け付けられる前記参加者画像情報から取得される前記安全ミーティング参加者画像とを合成して安全ミーティング帳票を作成する帳票作成部と、を備える、
ことを特徴とする安全管理システム。
【請求項２】
前記実施記録受付部と前記参加者画像受付部は、
情報通信ネットワークに接続されて、現場管理者用情報端末から送信されてくる前記実施記録情報と前記参加者画像情報とを受信して、
前記帳票作成部は、
受信される前記実施記録情報と前記参加者画像情報から取得される前記安全ミーティング実施記録と前記安全ミーティング参加者画像とを合成して前記安全ミーティング帳票を作成する、
ことを特徴とする請求項１に記載の安全管理システム。
【請求項３】
前記実施記録受付部と前記参加者画像受付部は、
外部記憶デバイスに接続されて、前記外部記憶デバイスに記憶されている前記実施記録情報と前記参加者画像情報とを読み出して、
前記帳票作成部は、
読み出される前記実施記録情報と前記参加者画像情報から取得される前記安全ミーティング実施記録と前記安全ミーティング参加者画像とを合成して前記安全ミーティング帳票を作成する、
ことを特徴とする請求項１に記載の安全管理システム。
【請求項４】
前記安全ミーティング実施記録を入力できる入力部と、
前記安全ミーティング参加者画像を撮影できる撮像部と、をさらに備えて、
前記実施記録受付部は、
前記入力部で入力される前記安全ミーティング実施記録に基づいて作成される前記実施記録情報を受け付けて、
前記参加者画像受付部は、
前記撮像部で撮影される前記安全ミーティング参加者画像に基づいて作成される前記参加者画像情報を受け付けて、
前記帳票作成部は、
受け付けられる前記実施記録情報と前記参加者画像情報から取得される前記安全ミーティング実施記録と前記安全ミーティング参加者画像とを合成して前記安全ミーティング帳票を作成する、
ことを特徴とする請求項１に記載の安全管理システム。
【請求項５】
前記安全ミーティング参加者画像から参加者の顔を抽出して、抽出される顔画像とあらかじめ登録されている顔画像とをマッチング処理して前記参加者を特定する顔認証部をさらに備えて、
前記帳票作成部は、
前記顔認証部で前記安全ミーティング参加者画像に基づいて特定される前記参加者が、前記安全ミーティング参加者画像が撮影された安全ミーティングに参加していた確認を前記安全ミーティング帳票に記録する、
ことを特徴とする請求項１乃至４の何れか１項に記載の安全管理システム。
【請求項６】
安全ミーティングへの参加者が安全ミーティングに参加したことを申請する安全ミーティング参加記録を含む参加記録情報を受け付ける参加記録受付部をさらに備えて、
前記帳票作成部は、
同一の安全ミーティングに対する記録であることを検出できる関連づけ情報に基づいて、前記実施記録受付部で受け付けられる前記実施記録情報から取得される前記安全ミーティング実施記録と、前記参加者画像受付部で受け付けられる前記参加者画像情報から取得される前記安全ミーティング参加者画像と、前記参加記録受付部で受け付けられる前記参加記録情報から取得される前記安全ミーティング参加記録とを合成して前記安全ミーティング帳票を作成する、
ことを特徴とする請求項１乃至５の何れか１項に記載の安全管理システム。
【請求項７】
前記参加記録受付部は、
情報通信ネットワークに接続されて、現場作業員用情報端末から送信されてくる前記参加記録情報を受信して、
前記帳票作成部は、
前記安全ミーティング実施記録と、前記安全ミーティング参加者画像と、前記参加記録受付部で受信される前記参加記録情報から取得される前記安全ミーティング参加記録とを合成して前記安全ミーティング帳票を作成する、
ことを特徴とする請求項６に記載の安全管理システム。
【請求項８】
前記実施記録情報と前記参加者画像情報は、
作業現場ごとに１個割り当てられて、作業現場を特定する作業現場ＩＤのうち、同一の作業現場に割り当てられる同一の作業現場ＩＤを共通して含み、
共通して含まれる前記同一の作業現場ＩＤは、
前記実施記録情報から取得される前記安全ミーティング実施記録と、前記参加者画像情報から取得される前記安全ミーティング参加者画像が、同一の安全ミーティングに対する記録であることを検出する関連づけ情報として用いられる、
ことを特徴とする請求項１乃至７の何れか１項に記載の安全管理システム。
【請求項９】
前記参加記録情報は、
前記実施記録情報と前記参加者画像情報に共通して含まれる同一の作業現場に割り当てられる前記同一の作業現場ＩＤを含み、
共通して含まれる前記同一の作業現場ＩＤは、
前記実施記録情報から取得される前記安全ミーティング実施記録と、前記参加者画像情報から取得される前記安全ミーティング参加者画像と、前記参加記録情報から取得される前記安全ミーティング参加記録が、同一の安全ミーティングに対する記録であることを検出する関連づけ情報として用いられる、
ことを特徴とする請求項６または７に記載の安全管理システム。
【請求項１０】
前記参加者画像情報は、
前記安全ミーティング参加者画像が撮影された画像取得位置と画像取得時刻とを含み、
前記画像取得位置と前記画像取得時刻は、
前記参加者画像情報に含まれる前記安全ミーティング参加者画像が複数あるときに、前記複数の前記安全ミーティング参加者画像が撮影された前記画像取得位置の差異と、前記複数の前記安全ミーティング参加者画像が撮影された前記画像取得時刻の差異とが判定されて、警告を発生させる参加者画像判定情報として用いられる、
ことを特徴とする請求項１乃至９の何れか１項に記載の安全管理システム。
【請求項１１】
前記実施記録情報は、
前記安全ミーティング実施記録が記録された安全ミーティング記録位置と安全ミーティング記録時刻とを含み、
前記安全ミーティング記録位置と前記安全ミーティング記録時刻は、
前記参加者画像情報に含まれる前記安全ミーティング参加者画像が撮影された前記画像取得位置と前記安全ミーティング記録位置の差異と、前記安全ミーティング参加者画像が撮影された前記画像取得時刻と前記安全ミーティング記録時刻の差異とが判定されて、警告を発生させる実施記録判定情報として用いられる、
ことを特徴とする請求項１０に記載の安全管理システム。
【請求項１２】
前記安全ミーティング実施記録は、
安全ミーティングの実施内容を表示する文字で構成されており、
前記帳票作成部は、
前記安全ミーティング実施記録を構成する前記文字と、前記安全ミーティング参加者画像とを合成して前記安全ミーティング帳票を作成する、
ことを特徴とする請求項１乃至１１の何れか１項に記載の安全管理システム。
【請求項１３】
前記安全ミーティング実施記録は、
安全ミーティングの実施内容が記載されている表示物を撮影した画像を含み、
前記帳票作成部は、
前記安全ミーティング実施記録に含まれる前記画像と、前記安全ミーティング参加者画像とを合成して前記安全ミーティング帳票を作成する、
ことを特徴とする請求項１乃至１２の何れか１項に記載の安全管理システム。
【請求項１４】
請求項１乃至１３の何れか１項に記載の安全管理システムを機能させることを特徴とするプログラム。
【発明の詳細な説明】
【技術分野】
【０００１】
この発明は、現場責任者が現場作業者に安全指導や安全点検を行う安全ミーティングの、実施記録が記載される安全ミーティング帳票を作成する安全管理システムに関するものである。
【背景技術】
【０００２】
従来、建設現場における作業報告や作業点検情報を管理する建設現場安全管理システムとして、例えば、下記特許文献１に記載されたものが知られている。特許文献１の安全管理システムは、撮像機能を備えた作業者用携帯情報端末と、安全管理センターのセンターサーバとがインターネットを介してネットワーク接続できるように構築されている。このため、建設現場における安全管理情報を安全管理センターで一括管理できるようになっている。センターサーバのデータベースに記憶されて管理されるテーブルには、作業報告や作業点検情報が含まれている。作業報告としては、作業現場における作業者の作業開始時刻及び作業終了時刻や、作業状況報告、作業完了報告が含まれている。また、作業点検情報としては、足場点検の報告データや携帯電話のカメラで撮影した毎朝の足場点検の写真画像が含まれている。
【先行技術文献】
【特許文献】
【０００３】
【特許文献１】特開２０１１−１０８０３１号公報
【発明の概要】
【発明が解決しようとする課題】
【０００４】
特許文献１の発明によれば、作業報告や作業点検情報をサーバのデータベースにより一括して管理できるため、作業者別の日ごとの稼働日報の取得や確認が容易になる。
【０００５】
しかし、特許文献１の発明は、現場作業者に安全指導や安全点検を行う安全ミーティングについての記録が記憶されるようになっていない。
【０００６】
万一、事故や災害等により、作業者が負傷した場合などには、その作業者の安全ミーティングへの参加の有無が問題になることがある。その作業者が安全ミーティングを受けていることを証明できなければ、過度な補償リスクや、安全管理の責任を問われて事業の継続が困難になるリスクなどを被るおそれがある。特許文献１の発明では、安全ミーティングの実施記録が保存されていないため、作業者の安全ミーティングへの参加を客観的に証明することが困難となる。
【０００７】
そこで、本発明の課題は、作業者の安全ミーティングへの参加について、客観的に証明することができる安全管理システムを提供することである。
【課題を解決するための手段】
【０００８】
かかる課題を解決するために、請求項１に記載の発明は、現場管理者が現場作業員に安全指導や安全点検を行う安全ミーティングの、実施内容が記録される安全ミーティング実施記録を含む実施記録情報を受け付ける実施記録受付部と、安全ミーティングへの参加者が撮影されており、参加者の顔が認識できて、参加者が安全ミーティングに参加したことを特定できる安全ミーティング参加者画像を含む参加者画像情報を受け付ける参加者画像受付部と、同一の安全ミーティングに対する記録であることを検出できる関連づけ情報に基づいて、前記実施記録受付部で受け付けられる前記実施記録情報から取得される前記安全ミーティング実施記録と、前記参加者画像受付部で受け付けられる前記参加者画像情報から取得される前記安全ミーティング参加者画像とを合成して安全ミーティング帳票を作成する帳票作成部と、を備える安全管理システムとしたことを特徴とする。
【０００９】
請求項２に係る発明は、請求項１に記載の構成に加えて、前記実施記録受付部と前記参加者画像受付部は、情報通信ネットワークに接続されて、現場管理者用情報端末から送信されてくる前記実施記録情報と前記参加者画像情報とを受信して、前記帳票作成部は、受信される前記実施記録情報と前記参加者画像情報から取得される前記安全ミーティング実施記録と前記安全ミーティング参加者画像とを合成して前記安全ミーティング帳票を作成する安全管理システムとしたことを特徴とする。
【００１０】
請求項３に係る発明は、請求項１に記載の構成に加えて、前記実施記録受付部と前記参加者画像受付部は、外部記憶デバイスに接続されて、前記外部記憶デバイスに記憶されている前記実施記録情報と前記参加者画像情報とを読み出して、前記帳票作成部は、読み出される前記実施記録情報と前記参加者画像情報から取得される前記安全ミーティング実施記録と前記安全ミーティング参加者画像とを合成して前記安全ミーティング帳票を作成する安全管理システムとしたことを特徴とする。
【００１１】
請求項４に係る発明は、請求項１に記載の構成に加えて、前記安全ミーティング実施記録を入力できる入力部と、前記安全ミーティング参加者画像を撮影できる撮像部と、をさらに備えて、前記実施記録受付部は、前記入力部で入力される前記安全ミーティング実施記録に基づいて作成される前記実施記録情報を受け付けて、前記参加者画像受付部は、前記撮像部で撮影される前記安全ミーティング参加者画像に基づいて作成される前記参加者画像情報を受け付けて、前記帳票作成部は、受け付けられる前記実施記録情報と前記参加者画像情報から取得される前記安全ミーティング実施記録と前記安全ミーティング参加者画像とを合成して前記安全ミーティング帳票を作成する安全管理システムとしたことを特徴とする。
【００１２】
請求項５に係る発明は、請求項１乃至４の何れか１項に記載の構成に加えて、前記安全ミーティング参加者画像から参加者の顔を抽出して、抽出される顔画像とあらかじめ登録されている顔画像とをマッチング処理して前記参加者を特定する顔認証部をさらに備えて、前記帳票作成部は、前記顔認証部で前記安全ミーティング参加者画像に基づいて特定される前記参加者が、前記安全ミーティング参加者画像が撮影された安全ミーティングに参加していた確認を前記安全ミーティング帳票に記録する安全管理システムとしたことを特徴とする。
【００１３】
請求項６に係る発明は、請求項１乃至５の何れか１項に記載の構成に加えて、安全ミーティングへの参加者が安全ミーティングに参加したことを申請する安全ミーティング参加記録を含む参加記録情報を受け付ける参加記録受付部をさらに備えて、前記帳票作成部は、同一の安全ミーティングに対する記録であることを検出できる関連づけ情報に基づいて、前記実施記録受付部で受け付けられる前記実施記録情報から取得される前記安全ミーティング実施記録と、前記参加者画像受付部で受け付けられる前記参加者画像情報から取得される前記安全ミーティング参加者画像と、前記参加記録受付部で受け付けられる前記参加記録情報から取得される前記安全ミーティング参加記録とを合成して前記安全ミーティング帳票を作成する安全管理システムとしたことを特徴とする。
【００１４】
請求項７に係る発明は、請求項６の構成に加えて、前記参加記録受付部は、情報通信ネットワークに接続されて、現場作業員用情報端末から送信されてくる前記参加記録情報を受信して、前記帳票作成部は、前記安全ミーティング実施記録と、前記安全ミーティング参加者画像と、前記参加記録受付部で受信される前記参加記録情報から取得される前記安全ミーティング参加記録とを合成して前記安全ミーティング帳票を作成する安全管理システムとしたことを特徴とする。
【００１５】
請求項８に係る発明は、請求項１乃至７の何れか１項に記載の構成に加えて、前記実施記録情報と前記参加者画像情報は、作業現場ごとに１個割り当てられて、作業現場を特定する作業現場ＩＤのうち、同一の作業現場に割り当てられる同一の作業現場ＩＤを共通して含み、共通して含まれる前記同一の作業現場ＩＤは、前記実施記録情報から取得される前記安全ミーティング実施記録と、前記参加者画像情報から取得される前記安全ミーティング参加者画像が、同一の安全ミーティングに対する記録であることを検出する関連づけ情報として用いられる安全管理システムとしたことを特徴とする。
【００１６】
請求項９に係る発明は、請求項６または７に記載の構成に加えて、前記参加記録情報は、前記実施記録情報と前記参加者画像情報に共通して含まれる同一の作業現場に割り当てられる前記同一の作業現場ＩＤを含み、共通して含まれる前記同一の作業現場ＩＤは、前記実施記録情報から取得される前記安全ミーティング実施記録と、前記参加者画像情報から取得される前記安全ミーティング参加者画像と、前記参加記録情報から取得される前記安全ミーティング参加記録が、同一の安全ミーティングに対する記録であることを検出する関連づけ情報として用いられる安全管理システムとしたことを特徴とする。
【００１７】
請求項１０に係る発明は、請求項１乃至９の何れか１項に記載の構成に加えて、前記参加者画像情報は、前記安全ミーティング参加者画像が撮影された画像取得位置と画像取得時刻とを含み、前記画像取得位置と前記画像取得時刻は、前記参加者画像情報に含まれる前記安全ミーティング参加者画像が複数あるときに、前記複数の前記安全ミーティング参加者画像が撮影された前記画像取得位置の差異と、前記複数の前記安全ミーティング参加者画像が撮影された前記画像取得時刻の差異とが判定されて、警告を発生させる参加者画像判定情報として用いられる安全管理システムとしたことを特徴とする。
【００１８】
請求項１１に係る発明は、請求項１０に記載の構成に加えて、前記実施記録情報は、前記安全ミーティング実施記録が記録された安全ミーティング記録位置と安全ミーティング記録時刻とを含み、前記安全ミーティング記録位置と前記安全ミーティング記録時刻は、前記参加者画像情報に含まれる前記安全ミーティング参加者画像が撮影された前記画像取得位置と前記安全ミーティング記録位置の差異と、前記安全ミーティング参加者画像が撮影された前記画像取得時刻と前記安全ミーティング記録時刻の差異とが判定されて、警告を発生させる実施記録判定情報として用いられる安全管理システムとしたことを特徴とする。
【００１９】
請求項１２に係る発明は、請求項１乃至１１の何れか１項に記載の構成に加えて、前記安全ミーティング実施記録は、安全ミーティングの実施内容を表示する文字で構成されており、前記帳票作成部は、前記安全ミーティング実施記録を構成する前記文字と、前記安全ミーティング参加者画像とを合成して前記安全ミーティング帳票を作成する安全管理システムとしたことを特徴とする。
【００２０】
請求項１３に係る発明は、請求項１乃至１２の何れか１項に記載の構成に加えて、前記安全ミーティング実施記録は、安全ミーティングの実施内容が記載されている表示物を撮影した画像を含み、前記帳票作成部は、前記安全ミーティング実施記録に含まれる前記画像と、前記安全ミーティング参加者画像とを合成して前記安全ミーティング帳票を作成する安全管理システムとしたことを特徴とする。
【００２１】
請求項１４に係る発明は、請求項１乃至１３の何れか１項に記載の構成の安全管理システムを機能させることを特徴とするプログラムである。
【発明の効果】
【００２２】
請求項１の発明によれば、作成される安全ミーティング帳票には、安全ミーティングに参加した参加者の顔が認識できて、参加者が安全ミーティングに参加したことを特定できる画像が含まれているため、画像に写っており、人物が特定された参加者は、確実に安全ミーティングに参加していたことが確認できる。
【００２３】
請求項２の発明によれば、安全ミーティングを行う現場管理者の現場管理者用情報端末から送信される実施記録情報と参加者画像情報とが、情報通信ネットワークを介して受信されて受け付けられる。このため、安全ミーティングの行われた作業現場から遠く離れた場所でも、現場管理者用情報端末に入力される実施記録情報と参加者画像情報に基づいて、短時間で安全ミーティング帳票を作成することができる。
【００２４】
請求項３の発明によれば、実施記録情報と参加者画像情報とが、外部記憶デバイスを介して受け付けられる。このため、情報通信ネットワークに接続されていないコストダウンした簡単な構成でも、実施記録情報と参加者画像情報に基づいて、安全ミーティング帳票を作成することができる。
【００２５】
請求項４の発明によれば、安全管理システムには入力部と撮像部が備えられており、入力部から安全ミーティング実施記録が入力されて、撮像部により安全ミーティング参加者画像が撮影される。このため、情報通信ネットワークや外部記憶デバイスに接続しない、さらにコストダウンした簡単な構成でも、実施記録情報と参加者画像情報に基づいて、安全ミーティング帳票を作成することができる。
【００２６】
請求項５の発明によれば、安全ミーティング参加者画像とあらかじめ登録されている顔画像とから、自動的に人物が特定されるため、現場管理者が安全ミーティングへの参加者を直接、入力することなく、安全ミーティングの参加者を安全ミーティング帳票に記載することができる。この結果、安全ミーティングへの参加者の入力の手間が省かれて、省力化できる。また、安全ミーティング参加者画像に顔が写っている参加者の全員が自動的に特定されるため、入力忘れなどの人為的なミスが生じることなく、正確に、安全ミーティングへの参加者を確認することができる。
【００２７】
請求項６の発明によれば、安全ミーティングへの参加者が安全ミーティングに参加したことを申請する記録が、安全ミーティング帳票に記載される。このため、安全ミーティングへの参加の確認を、参加者の意思の表示に基づいて確実に行うことができる。
【００２８】
請求項７の発明によれば、安全ミーティングを受ける現場作業員の現場作業員用情報端末から送信される参加記録情報が、情報通信ネットワークを介して受信されて受け付けられる。このため、安全ミーティングの行われた作業現場から遠く離れた場所でも、現場作業員用情報端末に入力される参加記録が記載されている安全ミーティング帳票を短時間で作成することができる。
【００２９】
請求項８の発明によれば、実施記録情報と参加者画像情報は、同一の作業現場に割り当てられる同一の作業現場ＩＤを共通して含み、この同一の作業現場ＩＤに基づいて、安全ミーティング実施記録と、安全ミーティング参加者画像とが、関連づけされて安全ミーティング帳票が作成させる。このため、安全ミーティング実施記録と、安全ミーティング参加者画像とを、誤ることなく確実に関連づけることができる。
【００３０】
請求項９の発明によれば、参加記録情報は、実施記録情報と参加者画像情報に共通して含まれる同一の作業現場ＩＤを含み、この同一の作業現場ＩＤに基づいて、安全ミーティング実施記録と、安全ミーティング参加者画像と、安全ミーティング参加記録とが、関連づけされて安全ミーティング帳票が作成させる。このため、安全ミーティング実施記録と、安全ミーティング参加者画像と、安全ミーティング参加記録とを、誤ることなく確実に関連づけることができる。
【００３１】
請求項１０の発明によれば、参加者画像情報は、安全ミーティング参加者画像が撮影された画像取得位置と画像取得時刻とを含み、安全ミーティング参加者画像が複数あるときに、複数の画像取得位置の間の差異と、複数の画像取得時刻の間の差異とが判定されて、それらの差異が閾値を超えている場合には、警告を発生させる。このため、適切でない安全ミーティング参加者画像が誤って使用されることを防ぎ、また、不正を防止することができる。
【００３２】
請求項１１の発明によれば、実施記録情報は、安全ミーティング実施記録が記録された安全ミーティング記録位置と安全ミーティング記録時刻とを含み、安全ミーティング参加者画像が撮影された画像取得位置と安全ミーティング記録位置との間の差異と、安全ミーティング参加者画像が撮影された画像取得時刻と安全ミーティング記録時刻との間の差異とが判定されて、それらの差異が閾値を超えている場合には、警告を発生させる。このため、安全ミーティング実施記録と、安全ミーティング参加者画像が、適切な関連づけがされず、誤って使用されることを防止することができる。
【００３３】
請求項１２の発明によれば、安全ミーティング実施記録は、安全ミーティングの実施内容を表示する文字で構成される。この結果、データ量を小さくすることができて、データ処理の負担を小さく抑えることができるため、高速に安全ミーティング帳票を作成することができる。
【００３４】
請求項１３の発明によれば、安全ミーティング実施記録は、安全ミーティングの実施内容が記載されている表示物を撮影した画像を含んでいる。文字入力することなく、画像を撮影することにより、安全ミーティング実施記録が作成されるため、文字入力の手間を省くことができて省力化できる。
【００３５】
請求項１４の発明によれば、プログラムにより安全管理システムが機能するため、安全管理システムの保守管理を柔軟に行うことができる。
【図面の簡単な説明】
【００３６】
【図１】この発明の実施の形態１に係る安全管理システムの全体構成を概略的に示すブロック図である。
【図２】同実施の形態１に係る管理システムサーバを概略的に示すブロック図である。
【図３】同実施の形態１に係る現場管理者用スマートフォンを概略的に示すブロック図である。
【図４】同実施の形態１に係る現場作業員用スマートフォンを概略的に示すブロック図である。
【図５】同実施の形態１に係る安全管理者用ＰＣを概略的に示すブロック図である。
【図６】同実施の形態１に係る顔認証サーバを概略的に示すブロック図である。
【図７】同実施の形態１に係る現場管理者用スマートフォンに表示される画面を概略的に示す図である。
【図８】同実施の形態１に係る実施記録情報の内容を概略的に示す図である。
【図９】同実施の形態１に係る参加者画像情報の内容を概略的に示す図である。
【図１０】同実施の形態１に係る現場作業員用スマートフォンに表示される画面を概略的に示す図である。
【図１１】同実施の形態１に係る日報情報の内容を概略的に示す図である。
【図１２】同実施の形態１に係る参加記録情報の内容を概略的に示す図である。
【図１３】同実施の形態１に係る管理システムデータベースに記憶されるデータの内容を概略的に示す図である。
【図１４】同実施の形態１に係るに安全ミーティング帳票を概略的に示す図である。
【図１５】同実施の形態１に係るに安全ミーティング帳票を概略的に示す図である。
【図１６】同実施の形態１に係るに安全ミーティング帳票を概略的に示す図である。
【図１７】同実施の形態１に係るに安全ミーティング帳票を概略的に示す図である。
【図１８】同実施の形態１に係る管理システムサーバと顔認証サーバのデータの受け渡しを概略的に示す図である。
【図１９】同実施の形態１に係る顔認証の方法を概略的に説明する図である。
【図２０】同実施の形態１に係る安全管理者用ＰＣに表示される画面を概略的に示す図である。
【図２１】同実施の形態１に係る安全管理システムの使用方法を概略的に説明するフローチャートである。
【図２２】同実施の形態１に係る安全管理システムの使用方法を概略的に説明するフローチャートである。
【図２３】この発明の実施の形態２に係る安全管理システムの全体構成を概略的に示すブロック図である。
【図２４】同実施の形態２に係るＧＰＳ機能付きカメラで撮影される画像を概略的に示す図であり、（ａ）は、安全ミーティング実施記録画像、（ｂ）は、安全ミーティング参加者画像を示す図である。
【図２５】同実施の形態２に係る実施記録情報の内容を概略的に示す図である。
【図２６】同実施の形態２に係る参加者画像情報の内容を概略的に示す図である。
【図２７】同実施の形態２に係る安全管理システムの使用方法を概略的に説明するフローチャートである。
【図２８】この発明の実施の形態３に係る安全管理システムの全体構成を概略的に示すブロック図である。
【図２９】同実施の形態３に係る安全管理システムの使用方法を概略的に説明するフローチャートである。
【発明を実施するための形態】
【００３７】
［発明の実施の形態１］
この発明の実施の形態１について、図１から図２２を用いて説明する。
【００３８】
図１は、本発明に係る安全管理システム１００の全体構成を示す概略ブロック図である。このシステムは、安全ミーティングの記録の保存と安全ミーティング帳票の作成を一括して行うことができる。
【００３９】
安全ミーティングとは、作業現場において、毎日の作業開始前に、現場管理者が現場作業員に対して安全指導や安全点検を行う法定されているミーティングである。
【００４０】
また、安全ミーティング帳票とは、安全ミーティングの実施内容が記録されている記録票のことをいう。ただし、紙面に印刷されているものだけでなく、紙面に印刷される前の電子データの形態のものも含めて、安全ミーティング帳票としている。紙面に印刷されているものも、電子データの形態のものも、記録されている内容は同一だからである。
【００４１】
このような機能を実現するために、この安全管理システム１００は、管理システムサーバ１、現場管理者用スマートフォン２、現場作業員用スマートフォン３、安全管理者用ＰＣ（Personal Computer）４、顔認証サーバ５、インターネット６、ＧＰＳ（Global
Positioning System）システム７、ＧＩＳ（Geographic Information System）用地理情報提供サーバ９を含む構成になっている。
【００４２】
この安全管理システム１００の動作の概要は、次のようになる。
【００４３】
作業現場にいる現場管理者は、現場管理者用スマートフォン２に安全ミーティングの記録を入力するとともに、現場管理者用スマートフォン２を使用して安全ミーティングへの参加者の画像を撮影する。こうすることにより、これらの情報は、「情報通信ネットワーク」であるインターネット６を介して、管理システムサーバ１に保存される。
【００４４】
その後、その日の作業が終了した現場作業員は、日報の入力と安全ミーティングへの参加申請を現場作業員用スマートフォン３を用いて行う。こうすることにより、これらの情報は、インターネット６を介して、管理システムサーバ１に保存される。
【００４５】
事務所にいる安全管理者は、インターネット６に接続されている安全管理者用ＰＣ４から、管理システムサーバ１にアクセスして、安全ミーティング帳票の出力要求をすることができる。この出力要求に応じて、管理システムサーバ１は、保存されている安全ミーティングの記録、安全ミーティングへの参加者が撮影されている画像、安全ミーティングへの参加申請に基づいて、安全ミーティング帳票を作成する。このようにして作成される安全ミーティング帳票は、インターネット６を介して安全管理者用ＰＣ４に送信されて、安全管理者用ＰＣ４に表示されて、印刷もできるようになっている。
【００４６】
なお、顔認証サーバ５は、顔が撮影されている画像が入力されると、その画像に基づいて安全ミーティングへの参加者を特定して、その参加者の情報を出力するようになっている。
【００４７】
また、ＧＩＳ用地理情報提供サーバ９は、要求に基づいて、ＧＩＳに使用される地図データや航空写真データなどを出力するようになっている。
【００４８】
以下に、図１に示されているこの安全管理システム１００の各要素について詳しく説明する。
【００４９】
まず、「現場管理者用情報端末」である現場管理者用スマートフォン２について説明する。
【００５０】
現場管理者用スマートフォン２は、安全ミーティングを実施した現場管理者が、実施した安全ミーティングの内容を入力して記録するために使用される。また、現場管理者用スマートフォン２は、安全ミーティングへの参加者の画像を撮影するためにも使用される。
【００５１】
現場管理者用スマートフォン２としては、スマートフォン以外にも、携帯電話、ＰＤＡ（Personal Digital Assistant）、タブレット、ＰＣなどの情報端末を用いることができる。
【００５２】
また、現場管理者用スマートフォン２には、市販のスマートフォンを使用することができる。もちろん、専用品として、現場管理者用スマートフォン２を開発、製造してもよい。
【００５３】
現場管理者用スマートフォン２の概略ブロック図が、図３に示されている。現場管理者用スマートフォン２は、モバイルデータ通信部２１、タッチパネル付きＬＣＤ（Liquid Crystal Display）２２、カメラモジュール（ＣＭＯＳ（Complementary Metal-Oxide Semiconductor）エリアセンサ）２３、ＧＰＳモジュール２４、時計（リアルタイムクロック）２５、ＣＰＵ（Central Processing Unit）２６、主記憶部（ＲＡＭ（Random Access Memory））２７、補助記憶部（フラッシュメモリ）２８を含む構成になっている。また、ＣＰＵ２６と、主記憶部（ＲＡＭ）２７と、補助記憶部（フラッシュメモリ）２８とにより、現場管理者用スマートフォン制御部２０を構成している。
【００５４】
補助記憶部（フラッシュメモリ）２８には、プログラムやデータが保存されている。補助記憶部（フラッシュメモリ）２８は、電源を切っても、記憶されているプログラムやデータが消滅しない不揮発性メモリである。使用されるメモリの種類は、フラッシュメモリに限らず、マスクＲＯＭ（Read Only Memory）、ハードディスク、光ディスクなどのその他の種類の不揮発性メモリを使用できる。また、ＳＤ（Secure Digital）メモリカードやＵＳＢ（Universal Serial Bus）メモリなどの外部メモリを使用することもできる。
【００５５】
主記憶部（ＲＡＭ）２７は、データを一時的に記憶できるＳＲＡＭ（Static Random Access Memory）やＤＲＡＭ（Dynamic Random Access Memory）が使用される。主記憶部（ＲＡＭ）２７は、電源を切ると、データが消滅する揮発性メモリである。もちろん、ＳＲＡＭやＤＲＡＭ以外の種類のメモリを使用できる。
【００５６】
ＣＰＵ２６は、主記憶部（ＲＡＭ）２７を用いて、補助記憶部（フラッシュメモリ）２８に記憶されているプログラムを実行したり、データ処理を行ったりする。
【００５７】
現場管理者用スマートフォン制御部２０は、ＣＰＵ２６と、補助記憶部（フラッシュメモリ）２８、主記憶部（ＲＡＭ）とが、一体として動作することにより、現場管理者用スマートフォン２の内部に組み込まれているモバイルデータ通信部２１、タッチパネル付きＬＣＤ２２などの各要素が所望の動作を行うように制御する。
【００５８】
モバイルデータ通信部２１は、現場管理者用スマートフォン制御部２０の制御に基づいて、現場管理者用スマートフォン２がインターネット６に接続されて、データの送受信ができるように機能する。インターネット６への接続は、デジタル携帯電話回線を介して行ってもよいし、Ｗｉ−Ｆｉ（登録商標）を介して行ってもよい。
【００５９】
タッチパネル付きＬＣＤ２２は、現場管理者用スマートフォン制御部２０の制御に基づいて、画面の表示をするとともに、画面にタッチすることにより入力を行えるように機能する。
【００６０】
現場管理者用スマートフォン２の表示機能と入力機能は、タッチパネル付きＬＣＤ２２による場合に限らず、例えば、液晶に画面を表示して、画面とは別の位置に設けられているキーボードから入力できるようにしてもよい。また、液晶以外にも、有機ＥＬ（Electro-Luminescence）などのその他の表示デバイスを使用することができる。
【００６１】
カメラモジュール（ＣＭＯＳエリアセンサ）２３は、現場管理者用スマートフォン制御部２０の制御に基づいて、画像を撮影するように機能する。なお、ＣＭＯＳエリアセンサ以外にも、ＣＣＤ（Charge Coupled Device）エリアセンサなどのその他の撮像素子を使用できる。
【００６２】
ＧＰＳモジュール２４は、現場管理者用スマートフォン制御部２０の制御に基づいて、ＧＰＳシステム７からの信号を受信して、地球上の現在位置を測定するように機能する。
【００６３】
時計（リアルタイムクロック）２５は、現場管理者用スマートフォン制御部２０の制御に基づいて、時刻を読み出せるように機能する。時刻の読み出しには、時計（リアルタイムクロック）２５を使用する以外にも、ＧＰＳの信号から時刻を読み取ることができる。また、インターネットを介して、ＮＴＰ（Network Time Protocol）サーバにアクセスして時刻を読み取るようにしてもよい。
【００６４】
次に、安全ミーティングの記録の入力と、安全ミーティングへの参加者の画像の撮影を行うときの現場管理者用スマートフォン２の画面の一例を示す。
【００６５】
図７には、現場管理者用スマートフォン２の画面の遷移の様子が示されている。
【００６６】
まず、現場管理者は、現場管理者用スマートフォン２をインターネット６に接続して、管理システムサーバ１にアクセスする。こうすることにより、管理システムサーバ１からは、図７（ａ）に示されるようなログイン画面が送信されて、現場管理者用スマートフォン２に表示される。現場管理者が、自らの「ユーザーＩＤ（Identification）」と「パスワード」を入力して、「ログイン」ボタンを押すことにより、図７（ｂ）に示されるような「メニュー」画面が表示される。
【００６７】
「メニュー」画面には、「予定表示２００」ボタン、「日報入力２０１」ボタン、「承認処理２０２」ボタン、「現場一覧２０３」ボタン、「写真撮影２０４」ボタンなどが表示される。
【００６８】
「予定表示２００」ボタンを押すと、現場作業の予定の作成と表示ができるようになる。職員や協力会社の現場作業の予定は、現場ごとや職員ごとに作成できる。作成された予定は、全職員が閲覧することができて、共有することができる。また、協力会社は請けた現場の予定を確認することができる。
【００６９】
「日報入力２０１」ボタンを押すと、日報の登録、確認、削除ができるようになる。また、日報の作成、登録とともに、安全ミーティングへの参加申請もできるようになっている。
【００７０】
「承認処理２０２」ボタンを押すと、承認権限を有する者が、安全ミーティングの記録や日報などの承認を行うことができるようになる。
【００７１】
「現場一覧２０３」ボタンを押すと、作業現場の情報を確認できるようになる。作業現場の情報として、現場名、作業内容などが確認できるとともに、現場写真の閲覧もできる。また、安全ミーティングの記録を入力することもできる。さらに、作業現場の地図が表示されて、この地図を参照しながら現場まで向かうこともできるようになっている。
【００７２】
「写真撮影２０４」ボタンを押すと、現場の画像を撮影できるようになる。現場の画像は、現場管理者用スマートフォン２のカメラモジュール（ＣＭＯＳエリアセンサ）２３を用いて撮影される。撮影された現場写真は、インターネット６を介して、管理システムサーバ１に保存される。
【００７３】
安全ミーティングの記録を入力できる画面に移行するには、図７（ｂ）に示されている「メニュー」画面の中から、「現場一覧２０３」ボタンを選択して押す。こうすると、図７（ｃ）に示されている「現場検索」画面が表示される。
【００７４】
「現場検索」画面では、「受注区分」ボックス、「現場名」ボックス、「元請名」ボックスに入力をして、「検索」ボタンを押すことにより、あらかじめ登録されている現場名を検索することができる。また、「現場検索」画面の「現場名２０５」ラベルの下側には、登録されている現場名の一覧が検索結果として表示される。「現場名２０５」ラベルの右隣にある「場所」ラベルの下側には、検索された現場名に対応する場所が一覧表示される。
【００７５】
安全ミーティングの記録の入力を行うには、まず、現場を選択する必要があるため、「現場名２０５」ラベルの下側に表示されている現場名の一覧から入力する現場名ボタンを選んで押す。例えば、図７（ｃ）に示されている現場名から「レーベン小岩」ボタンを選択して押すと、図７（ｄ）に示されているような「現場表示」画面が表示される。
【００７６】
「現場表示」画面では、「前日へ」ボタン、「本日」ボタン、「翌日へ」ボタンを操作して日付を選択する。その後、「安全ミーティング２０６」ボタン、「現場写真」ボタン、「地図表示」ボタンの中から機能を選択できるようになっている。
【００７７】
「安全ミーティング２０６」ボタンを押すと、安全ミーティングの記録の入力や記録されている安全ミーティングの記録の閲覧ができるようになる。
【００７８】
「現場写真」ボタンを押すと、現場管理者用スマートフォン２で画像を撮影することができるようになる。撮影される画像は、管理システムサーバ１に保存されて、現場ごとに管理される。画像にはメモを記入することができ、画像を管理しやすいようになっている。また、管理システムサーバ１に保存されている画像を読み出して、現場管理者用スマートフォン２に表示させることもできる。
【００７９】
「地図表示」ボタンを押すと、作業現場の位置を地図表示できるようになる。表示は、地図と、航空写真のどちらかを選択できるようになっている。現場管理者用スマートフォン２は、ＧＰＳモジュール２４を備えており、現在位置を検出できるため、現在位置と、作業現場の位置までの道順を地図に表示することができる。このため、はじめての場所であっても、地図を確認しながら作業現場まで迷わず到着することができるようになっている。
【００８０】
安全ミーティングの記録を入力するには、図７（ｄ）に示されている「安全ミーティング２０６」ボタンを押す。こうすることにより、図７（ｅ１）から図７（ｅ３）までの「安全ミーティング編集」画面が表示される。図７（ｅ１）から図７（ｅ３）までは、１つの画面であり、画面をスクロールすることにより、画面表示を変化させることができるようになっている。
【００８１】
現場管理者は、その日に実施した安全ミーティングの内容に基づいて、図７（ｅ１）の「天気」、「社名またはグループ名」、「リーダー」、「作業概要」、「作業内容」、「場所または対象箇所」、「担当者」などについて入力を行っていく。また、同様に、図７（ｅ２）の「起こりうる危険１」などや、図７（ｅ３）の「こうする５」、「作業前チェック」、「コメント」、「参加者２１１」、「作業員」などの各項目について、画面をスクロールさせながら入力する。
【００８２】
図７（ｅ３）の下から２番目に配置されている「参加者２１１」ボックスには、安全ミーティングへの参加者の氏名をキーボード画面を表示させることにより直接、入力することができる。また、「参加者２１１」の表示部分を押すことにより、現場ごとにあらかじめ登録されている参加者候補リストが図７（ｇ）に示されるように表示されて、参加者を選択できるようになっている。
【００８３】
図７（ｅ１）の右上方に配置されている「写真２０８」ボタンを押すと、カメラモジュール（ＣＭＯＳエリアセンサ）２３を用いて、画像を撮影できるようになる。このときに撮影される画像は、安全ミーティングへの参加者の集合写真２０９であり、参加者の顔が認識できる画像である。
【００８４】
この画像は、安全ミーティングに参加したことを証明する証拠として使用されるため、安全ミーティングへの参加者全員の顔が写り、全員の顔を確認できるような画像である必要がある。このため、この画像は、通常、複数枚となる。なぜなら、撮影者は、画像に写っていないため、１枚目の画像に写っていない撮影者を加えた画像が必要になるからである。また、安全ミーティングへの参加者が多数の場合にも、撮影される画像の数を増やして、参加者全員の顔が写るようにする必要がある。
【００８５】
また、この画像には、画像に変更が加えられたことを検出できる情報が付加されている。画像に変更が加えられているかどうかの判定は、一般に流通している判定ソフトウェアを使用することで、容易に行うことができる。画像に改ざんが加えられると、確実にその改ざんを検出することができるため、不正を防止することができる。
【００８６】
このため、この画像は、安全ミーティングに参加したことの証拠として、高い信頼性を有している。
【００８７】
撮影される画像は、安全ミーティングへの参加者の集合写真２０９に加えて、その日の作業内容などが記載された黒板を写した黒板写真２１０などが含まれていてもよい。
【００８８】
この「写真２０８」ボタンを押して、複数の画像を撮影したときの現場管理者用スマートフォン２の画面は、図７（ｆ）に示されているような画面になる。上側の画像が、安全ミーティングへの参加者の集合写真２０９であり、下側が、作業内容などが記載された黒板写真２１０となっている一例である。
【００８９】
「安全ミーティング編集」画面の入力を行った後、図７（ｅ３）の左下部に配置されている「登録２０７」ボタンを押すと、入力された内容が確定されて、インターネット６を介して、管理システムサーバ１に送信されて、記憶される。
【００９０】
図８には、安全ミーティングの記録の入力に基づいて構成される実施記録情報８００の一例が示されている。実施記録情報８００は、安全ミーティングの記録として「安全ミーティング編集」画面に入力される内容が、現場管理者用スマートフォン２から送信されて、管理システムサーバ１に受信されて保存される際に、用いられるデータの構成である。
【００９１】
すなわち、実施記録情報８００とは、安全ミーティングの記録として入力される内容を、現場管理者用スマートフォン２と管理システムサーバ１との間で送受信したり、保存したりするときのデータのまとまりのことをいう。
【００９２】
実施記録情報８００は、安全ミーティング実施記録８０１と安全ミーティング実施記録付加情報８０２とから構成されている。
【００９３】
安全ミーティング実施記録８０１は、図７（ｅ１）、（ｅ２）、（ｅ３）、及び、図７（ｇ）に示されている「安全ミーティング編集」画面から入力される安全ミーティングの記録として実質的な内容を示すものである。そして、安全ミーティング実施記録８０１の内容が、安全ミーティング帳票に記載される。このため、図７（ｅ１）、（ｅ２）、（ｅ３）に示されている入力項目と、安全ミーティング実施記録８０１の項目とは、一対一の対応関係がある。例えば、図７（ｅ１）の「日付」と図８の「日付８０３」とは対応している。同様に、「現場名」、「天気」、「社名またはグループ名」、「リーダー」、「作業概要」、「作業内容」などすべての項目で、図７（ｅ１）、（ｅ２）、（ｅ３）と図８に示されている項目は対応関係にある。
【００９４】
安全ミーティング実施記録付加情報８０２は、安全ミーティング実施記録８０１と安全ミーティングへの参加者の画像とを関連づけるための情報として使用される。
【００９５】
安全ミーティング実施記録付加情報８０２には、作業現場ＩＤ８０４と、画像連番８０５と、関連参加者画像ファイル名８０６が含まれている。
【００９６】
作業現場ＩＤ８０４は、作業現場ごとに１個だけ割り当てられるように構成される数字、または、記号と数字の組合せである。作業現場ＩＤ８０４は、作業現場の間で重複するものが存在しないように決定されるため、作業現場の特定に使用することができる。図７（ｃ）に示されている現場名が決定されると、それに伴って作業現場ＩＤ８０４も決まるため、その作業現場ＩＤ８０４が記録される。
【００９７】
画像連番８０５には、安全ミーティングの記録として撮影される画像の数が記録される。図７（ｆ）に示されているような、安全ミーティングへの参加者の集合写真２０９や、作業内容などが記載された黒板を写した黒板写真２１０などの一連の画像の枚数が記録される。画像のファイル名は、末尾の番号が、撮影される順番を示すように生成される。このため、先頭のファイル名を検出することにより、ファイル名の末尾の数値を１ずつ増加させて、画像連番８０５に記録されている数値分の画像を取り出すことにより、その安全ミーティングで撮影された画像を全て取り出すことができるようになっている。
【００９８】
関連参加者画像ファイル名８０６には、安全ミーティングの記録として、その日のその作業現場で、最初に撮影される画像のファイル名が記録される。すなわち、図７（ａ）に示されているような、ログイン画面からログインして、最初に撮影される画像のファイル名が記録されるようになっている。ファイル名は、画像を撮影すると重複が発生しないように、自動的に生成される。
【００９９】
そして、上述したように、ファイル名の末尾は、番号になっており、撮影を繰り返すごとに、その番号が１ずつ増加するように生成される。
【０１００】
図９には、安全ミーティングへの参加者の画像を含むように構成される参加者画像情報８１０の一例が示されている。参加者画像情報８１０は、上述した安全ミーティングへの参加者の集合写真２０９を含む内容が、現場管理者用スマートフォン２から送信されて、管理システムサーバ１に受信されて保存される際に、用いられるデータの構成である。
【０１０１】
すなわち、参加者画像情報８１０とは、安全ミーティングへの参加者の画像を、現場管理者用スマートフォン２と管理システムサーバ１の間で送受信したり、保存したりするときのデータのまとまりのことをいう。
【０１０２】
参加者画像情報８１０は、安全ミーティング参加者画像８１１と、参加者画像ファイル名８１２と、安全ミーティング参加者画像Ｅｘｉｆタグ８１３とから構成されている。
【０１０３】
安全ミーティング参加者画像８１１は、現場管理者用スマートフォン２を用いて撮影される安全ミーティングへの参加者が写っている画像である。この画像は、安全ミーティング帳票に貼付されて表示される。安全ミーティング帳票は、上述の安全ミーティング実施記録８０１と、安全ミーティング参加者画像８１１とを、合成して編集することにより作成される。
【０１０４】
参加者画像ファイル名８１２は、撮影される画像を示すファイル名である。上述したように、ファイル名は、重複が発生しないように、自動的に生成される。また、ファイル名の末尾は、番号になっており、撮影の順番を示すように、撮影ごとに、１ずつその番号が増加するように生成される。
【０１０５】
参加者画像ファイル名８１２は、安全ミーティング実施記録８０１と安全ミーティング参加者画像８１１とを関連づける情報として使用される。このため、最初に撮影される安全ミーティング参加者画像８１１を示す参加者画像ファイル名８１２が、実施記録情報８００に含まれている関連参加者画像ファイル名８０６に記録される。
【０１０６】
安全ミーティング参加者画像Ｅｘｉｆタグ８１３は、撮影される画像の１枚毎に付加されて記録されるデータであり、位置情報（緯度、経度）８１４、時刻情報８１５を含んでいる。
【０１０７】
位置情報（緯度、経度）８１４は、安全ミーティング参加者画像８１１を撮影したときの現場管理者用スマートフォン２の位置情報であり、緯度と経度で表現される。図９に示されている位置情報（緯度、経度）８１４の右隣の欄の「Ｘ」に続く数値が緯度を示しており、「Ｙ」に続く数値が経度を示している。位置情報（緯度、経度）８１４は、ＧＰＳシステム７から送信されてくる信号をＧＰＳモジュール２４で受信して処理が行われることにより求められる。
【０１０８】
時刻情報８１５は、安全ミーティング参加者画像８１１を撮影したときの時刻である。時刻情報８１５は、ＧＰＳシステム７から送信されてくる信号をＧＰＳモジュール２４で受信して求められる時刻を使用してもよいし、現場管理者用スマートフォン２に内蔵されている時計（リアルタイムクロック）２５から読み取ってもよい。また、インターネット６を介して、ＮＴＰサーバから読み取られる時刻を使用してもよい。
【０１０９】
なお、参加者画像情報８１０は、現場管理者用スマートフォン２を用いて、安全ミーティングへの参加者の写真を１枚撮影するごとに、それに応じて、１個ずつ作成される。安全ミーティングへの参加者全員の顔が写るように撮影する必要があるため、通常、１回の安全ミーティングについて、複数枚の写真が撮影される。このため、参加者画像情報８１０も、撮影された枚数分、作成される。
【０１１０】
以上が、現場管理者用スマートフォン２についての説明である。
【０１１１】
次に、図１に示されている「現場作業員用情報端末」である現場作業員用スマートフォン３について説明する。
【０１１２】
現場作業員用スマートフォン３は、現場作業員が、日報の入力や、安全ミーティングへの参加の申請を行う際に、使用される。
【０１１３】
現場作業員用スマートフォン３には、上述した現場管理者用スマートフォン２と同様のスマートフォンを用いることができる。もちろん、スマートフォン以外にも、携帯電話、ＰＤＡ、タブレット、ＰＣなどの情報端末を用いることができる。
【０１１４】
現場作業員用スマートフォン３の概略ブロック図が、図４に示されている。この安全管理システム１００では、現場作業員用スマートフォン３として、現場管理者用スマートフォン２と同様のスマートフォンが使用されている。このため、図４に示されているブロック図は、図３に示されている現場管理者用スマートフォン２のブロック図と同様の構成になっている。
【０１１５】
図４のブロック図は、図３のモバイルデータ通信部２１と同機能のモバイルデータ通信部３１、タッチパネル付きＬＣＤ２２と同機能のタッチパネル付きＬＣＤ３２、カメラモジュール（ＣＭＯＳエリアセンサ）２３と同機能のカメラモジュール（ＣＭＯＳエリアセンサ）３３、ＧＰＳモジュール２４と同機能のＧＰＳモジュール３４、時計（リアルタイムクロック）２５と同機能の時計（リアルタイムクロック）３５、ＣＰＵ２６と同機能のＣＰＵ３６、主記憶部（ＲＡＭ）２７と同機能の主記憶部（ＲＡＭ）３７、補助記憶部（フラッシュメモリ）２８と同機能の補助記憶部（フラッシュメモリ）３８を含んでいる。また、ＣＰＵ３６と、主記憶部（ＲＡＭ）３７と、補助記憶部（フラッシュメモリ）３８とから、現場作業員用スマートフォン制御部３０が構成されている。
【０１１６】
現場作業員用スマートフォン３のブロック図の説明は、図３に示されている現場管理者用スマートフォン２のブロック図の説明と重複するため、省略する。
【０１１７】
次に、日報の入力と、安全ミーティングへの参加の申請を行うときの現場作業員用スマートフォン３の画面の一例を示す。
【０１１８】
図１０には、現場作業員用スマートフォン３の画面の遷移の様子が示されている。
【０１１９】
現場作業員が、現場作業員用スマートフォン３をインターネット６に接続して、管理システムサーバ１にアクセスすると、図１０（ａ）に示されるようなログイン画面が送信されて、現場作業員用スマートフォン３に表示される。この画面は、図７（ａ）と同様の画面である。現場管理者用スマートフォン２と現場作業員用スマートフォン３は、同一のソフトウェアによって動作しているため、共通の画面となっている。現場作業員が、「ユーザーＩＤ」と「パスワード」を入力して、「ログイン」ボタンを押すことにより、図１０（ｂ）に示されるような「メニュー」画面が表示される。この画面は、図７（ｂ）に示されている画面と同様である。したがって、「メニュー」画面に表示される「予定表示３００」、「日報入力３０１」、「承認処理３０２」、「現場一覧３０３」、「写真撮影３０４」の各ボタンの説明も、上述した図７（ｂ）の説明と同様となる。
【０１２０】
現場作業員が、日報の入力と、安全ミーティングへの参加の申請を行うときには、「メニュー」画面の中から「日報入力３０１」ボタンが選択されて押される。この操作によって、図１０（ｃ）に示されている「日報入力」画面が表示される。
【０１２１】
現場作業員は、「日報入力」画面にある「前日へ」ボタン、「本日」ボタン、「翌日へ」ボタンを押して、入力する日報の日付を選択する。日付を選択した後、「追加３０５」ボタンを押すと、図１０（ｄ）に示されている「日報編集」画面が表示されて、日報を入力することができる。
【０１２２】
「日報編集」画面には、「現場名３０６」、「リソース名３０７」、「人工３０８」、「残業人工３０９」、「作業内容３１０」、「使用材料３１１」、「現場備考３１２」、「安全３１３」などが表示される。
【０１２３】
「現場名３０６」ボックスには、作業現場の名前を入力する。現場名の入力は、図１０（ｄ１）に示されている画面が表示されて、あらかじめ登録されている現場名から選択できるようになっている。
【０１２４】
「リソース名３０７」ボックスには、日報の入力の対象になる人物の氏名を入力する。この氏名の入力についても、あらかじめ登録されている氏名から選択できるようになっている。
【０１２５】
「人工３０８」ボックスには、一日うちの作業に費やした割合を入力する。この入力についても、図１０（ｄ２）に示されている画面を操作して入力できるようになっている。図１０（ｄ２）に示されている画面の中の「０．２５」の表示は、一日の作業時間の２５％をその作業に費やしたとことを示す。同様に、「０．５」、「０．７５」、「１．０」の表示は、それぞれ、一日の５０％、７５％、１００％をその作業に費やしたことを示す。また、「請負」の表示は、その作業が請負で行われたことを示す。
【０１２６】
「残業人工３０９」ボックスには、残業をした分の人工を入力する。
【０１２７】
「作業内容３１０」ボックスには、基礎工事などの作業内容が入力される。作業内容についても、図１０（ｄ３）に示されるような画面が表示されて、あらかじめ登録されている作業内容の中から選択できるようになっている。
【０１２８】
「使用材料３１１」ボックスには、作業に使用された材料を入力する。使用材料についても、図１０（ｄ４）に示されるような画面が表示されて、あらかじめ登録されている使用材料の中から選択できるようになっている。
【０１２９】
「現場備考３１２」ボックスには、作業を行う中で気づいた点などを入力する。
【０１３０】
「安全３１３」チェックボックスは、日報を入力している現場作業員が、安全ミーティングに参加したことを申請するために使用される。「安全３１３」チェックボックスにチェックを入れると、安全ミーティングに参加したことを申請して、チェックを外すと安全ミーティングに参加していないことを申請することになる。
【０１３１】
「安全３１３」チェックボックスに入力される安全ミーティングへの参加の申請は、安全ミーティング帳票に記載されるようになっている。安全ミーティングへの参加者が、自ら参加したことを申請して確認した記録が残るため、安全ミーティング帳票は、安全ミーティングへの参加状況を証明する証拠として、高い信頼性を有することになる。
【０１３２】
「日報編集」画面の中の「安全３１３」チェックボックス以外の項目は、日報の入力に関するものである。そして、「安全３１３」チェックボックスのみが、安全ミーティングへの参加申請に関する項目である。
【０１３３】
「日報編集」画面の入力を行った後、図１０（ｄ）の左下部に配置されている「登録３１４」ボタンを押すと、入力した内容が確定されて、インターネット６を介して、管理システムサーバ１に送信されて、記憶される。
【０１３４】
図１１には、日報の入力に基づいて構成される日報情報８２０の一例が示されている。日報情報８２０は、日報として「日報編集」画面に入力された内容が、現場作業員用スマートフォン３から送信されて、管理システムサーバ１に受信されて保存される際に、用いられるデータの構成である。
【０１３５】
すなわち、日報情報８２０とは、日報として入力される内容を、現場作業員用スマートフォン３と管理システムサーバ１との間で送受信したり、保存したりするときのデータのまとまりのことをいう。
【０１３６】
日報情報８２０は、日報８２１と日報付加情報８２２とから構成されている。
【０１３７】
日報８２１は、図１０（ｄ）に示されている「日報編集」画面の「安全３１３」チェックボックス以外の入力項目に入力される内容を示すものである。このため、図１０（ｄ）に示されている入力項目と、日報８２１の項目とは、一対一の対応関係がある。例えば、図１０（ｄ）の「日付」と図１１の「日付８２３」とは対応している。同様に、「現場名」、「リソース名」、「人工」、「残業人工」、「作業内容」、「使用材料」、「現場備考」の項目について、図１０（ｄ）と図１１に示されている項目は対応関係にある。
【０１３８】
そして、日報８２１を構成する各項目に記録されている内容が、日報帳票に記載される。日報帳票とは、日報の内容が記録されている記録票のことをいう。
【０１３９】
日報付加情報８２２は、日報８２１と、安全ミーティングへの参加申請とを関連づけるための情報として使用される。また、日報８２１と、上述した安全ミーティング実施記録８０１や安全ミーティング参加者画像８１１とを関連づけるための情報としても使用される。
【０１４０】
日報付加情報８２２には、作業現場ＩＤ８２４が含まれている。作業現場ＩＤ８２４は、上述の実施記録情報８００に含まれる作業現場ＩＤ８０４と同様に、作業現場ごとに１個だけ割り当てられるように構成される数字、または、記号と数字の組合せである。図１０（ｄ）の「現場名３０６」ボックスに、作業現場の名前を入力すると、それに伴って作業現場ＩＤ８２４も決まるため、その作業現場ＩＤ８２４が記録される。同じ作業現場について、作業現場ＩＤ８２４と、作業現場ＩＤ８０４は、同一となるように記録される。
【０１４１】
図１２には、安全ミーティングへの参加申請の入力に基づいて構成される参加記録情報８３０の一例が示されている。参加記録情報８３０は、「日報編集」画面の「安全３１３」チェックボックスにより入力される安全ミーティングへの参加申請が、現場作業員用スマートフォン３から送信されて、管理システムサーバ１に受信されて保存される際に、用いられるデータの構成である。
【０１４２】
すなわち、参加記録情報８３０とは、安全ミーティングへの参加申請を、現場作業員用スマートフォン３と管理システムサーバ１との間で送受信したり、保存したりするときのデータのまとまりのことをいう。
【０１４３】
参加記録情報８３０は、安全ミーティング参加記録８３１と安全ミーティング参加記録付加情報８３２とから構成されている。
【０１４４】
安全ミーティング参加記録８３１には、日付８３３、安全ミーティングへの参加者の氏名を示すリソース名、参加者が申請した安全ミーティングへの参加の有無の確認である参加確認が含まれている。安全ミーティング参加記録８３１の内容は、上述の安全ミーティング実施記録８０１と安全ミーティング参加者画像８１１に基づいて作成される安全ミーティング帳票に追加されて記載される。
【０１４５】
図１０（ｄ）に示されている「日報編集」画面の項目と、安全ミーティング参加記録８３１の項目の間には、対応関係がある。すなわち、図１０（ｄ）の「日付」と図１２の「日付８３３」とは対応している。同様に、「リソース名」の項目について、図１０（ｄ）と図１２に示されている項目は対応関係にある。また、図１０（ｄ）に示されている「安全３１３」チェックボタンにチェックを入力すると、図１２に示されている「参加確認」の右隣の欄が「確認」になる。「安全３１３」チェックボタンのチェックを外すと、図１２に示されている「参加確認」の右隣の欄が空欄になる。
【０１４６】
安全ミーティング参加記録付加情報８３２は、安全ミーティング実施記録８０１と安全ミーティング参加者画像８１１と安全ミーティング参加記録８３１とを関連づける情報として使用される。
【０１４７】
安全ミーティング参加記録付加情報８３２には、作業現場ＩＤ８３４と、検出元参加者画像ファイル名８３５が含まれている。
【０１４８】
作業現場ＩＤ８３４は、上述の作業現場ＩＤ８０４、作業現場ＩＤ８２４と同様に、作業現場ごとに１個だけ割り当てられるように構成される数字、または、記号と数字の組合せである。図１０（ｄ）の「現場名３０６」ボックスに、作業現場の名前を入力すると、それに伴って作業現場ＩＤ８３４も決まるため、その作業現場ＩＤ８３４が記録される。また、同じ作業現場について、作業現場ＩＤ８３４、作業現場ＩＤ８０４、作業現場ＩＤ８２４は、すべて同一となるように記録される。
【０１４９】
検出元参加者画像ファイル名８３５には、後述する顔認証サーバ５において、画像に顔が写っている参加者を特定する際の検出元となる画像を示すファイル名が記録される。なお、現場作業員用スマートフォン３を用いて、参加記録情報８３０が作成されるときには、安全ミーティングへの参加者を特定するための画像が使用されない。このため、検出元参加者画像ファイル名８３５の欄は、空欄となる。
【０１５０】
１つの作業現場では、複数人の現場作業員が作業を行うことが多い。現場作業員の各人が、日報の入力を行うことになるため、日報情報８２０と参加記録情報８３０は、その作業現場における現場作業員の数だけ作成されることになる。
【０１５１】
以上が、現場作業員用スマートフォン３についての説明である。
【０１５２】
次に、図１に示されているＧＩＳ用地理情報提供サーバ９について説明する。
【０１５３】
ＧＩＳ用地理情報提供サーバ９は、インターネット６に接続されており、外部からの要求に基づいて、ＧＩＳに使用される地図データや航空写真データなどを要求元に送信する。
【０１５４】
ＧＩＳ用地理情報提供サーバ９から送信されてくる地図データや航空写真データなどは、安全ミーティング帳票に貼付されて、地図や航空写真の上に現場の位置が表示される。こうすることによって、視覚的に現場の位置が把握できるようになっている。
【０１５５】
安全ミーティング帳票に貼付される地図データや航空写真データなどは、ＧＩＳ用地理情報提供サーバ９に保存されている必要はなく、安全ミーティング帳票を作成する「帳票作成部」を備える要素などに、データベースとして保存させておき、そのデータベースから読み出すようにしてもよい。
【０１５６】
なお、地図データや航空写真データなどを貼付せずに、安全ミーティング帳票が作成されるときには、ＧＩＳ用地理情報提供サーバ９を必要としない。この場合には、ＧＩＳ用地理情報提供サーバ９を備えないシステム構成であっても、安全ミーティング帳票を作成することができる。
【０１５７】
以上が、ＧＩＳ用地理情報提供サーバ９の説明である。
【０１５８】
次に、図１に示されている管理システムサーバ１について説明する。
【０１５９】
管理システムサーバ１は、インターネット６に接続されており、現場管理者用スマートフォン２から送信されてくる実施記録情報８００や参加者画像情報８１０を受信して記憶する。また、管理システムサーバ１は、現場作業員用スマートフォン３から、インターネット６を介して送信されてくる日報情報８２０や参加記録情報８３０を受信して記憶する。そして、管理システムサーバ１は、受信して記憶されているこれらの情報に基づいて、安全ミーティング帳票や日報帳票を作成する。また、管理システムサーバ１は、帳票の出力要求があれば、作成した帳票を出力要求を発したアクセス元に送信する。
【０１６０】
管理システムサーバ１の概略ブロック図が、図２に示されている。管理システムサーバ１は、データ通信部１１、管理システムデータベース１２、表示部１３、入力部１４、ＣＰＵ１５、主記憶部（ＲＡＭ）１６、補助記憶部（ハードディスク）１７を含む構成になっている。また、ＣＰＵ１５と、主記憶部（ＲＡＭ）１６と、補助記憶部（ハードディスク）１７とにより、管理システムサーバ制御部１０を構成している。
【０１６１】
補助記憶部（ハードディスク）１７には、電源を切ってもプログラムやデータが消滅せずに保持されるようにハードディスクが用いられている。ハードディスク以外にも、電源を切ってもプログラムやデータが保持されるフラッシュメモリや光ディスクなどその他の記憶装置を用いることができる。
【０１６２】
主記憶部（ＲＡＭ）１６には、ＣＰＵ１５で行われるプログラムの実行やデータ処理に使用されるデータを一時的に記憶させることができるＳＲＡＭやＤＲＡＭなどが使用されている。もちろん、ＳＲＡＭやＤＲＡＭ以外のその他の記憶デバイスを使用できる。
【０１６３】
ＣＰＵ１５は、主記憶部（ＲＡＭ）１６を使用しながら、補助記憶部（ハードディスク）１７に記憶されているプログラムやデータを実行したり処理したりする。
【０１６４】
管理システムサーバ制御部１０は、管理システムサーバ１の内部に組み込まれているデータ通信部１１、管理システムデータベース１２、表示部１３、入力部１４などが所望の動作を行うように制御する。
【０１６５】
この安全管理システム１００では、管理システムサーバ制御部１０が、管理システムデータベース１２に記憶されているデータに基づいて、安全ミーティング帳票を作成するため、「帳票作成部」に該当する。
【０１６６】
データ通信部１１は、管理システムサーバ制御部１０の制御に基づいて、管理システムサーバ１がインターネット６に接続されて、データの送受信ができるように機能する。インターネット６への接続は、有線で接続してもよいし、無線で接続してもよい。
【０１６７】
この安全管理システム１００では、データ通信部１１が、現場管理者用スマートフォン２から送信されてくる実施記録情報８００を受信して、受け付けるため、「実施記録受付部」に該当する。また、データ通信部１１は、現場管理者用スマートフォン２から送信されてくる参加者画像情報８１０を受信して、受け付けるため、「参加者画像受付部」にも該当する。さらに、データ通信部１１は、現場作業員用スマートフォン３から送信されてくる参加記録情報８３０を受信して、受け付けるため、「参加記録受付部」にも該当する。
【０１６８】
表示部１３には、ＬＣＤ、有機ＥＬなどの表示装置を使用することができる。
【０１６９】
入力部１４には、キーボードやタッチパネルなどの入力装置を使用することができる。
【０１７０】
管理システムデータベース１２は、管理システムサーバ制御部１０の制御に基づいて、データの記憶、保存、読み出しなどを行うことができて、データの管理に使用される。
【０１７１】
図１３には、管理システムデータベース１２に記憶されるデータの種類が示されている。なお、管理システムデータベース１２には、この他にも現場写真などを記憶して保存できるようになっているが、図１３では図示することを省略している。
【０１７２】
図１３に示されるように、管理システムデータベース１２に記憶されるデータは、実施記録情報８００、参加者画像情報８１０、参加記録情報８３０、日報情報８２０を含んでいる。上述したように、安全ミーティング実施記録８０１を含む実施記録情報８００と、安全ミーティング参加者画像８１１を含む参加者画像情報８１０は、現場管理者用スマートフォン２から送信されて、管理システムサーバ１に受信されて、管理システムデータベース１２に記憶される。また、上述したように、安全ミーティング参加記録８３１を含む参加記録情報８３０と、日報８２１を含む日報情報８２０は、現場作業員用スマートフォン３から送信されて、管理システムサーバ１に受信されて、管理システムデータベース１２に記憶される。
【０１７３】
管理システムサーバ１では、同一の安全ミーティングに基づいて作成された実施記録情報８００と、参加者画像情報８１０と、参加記録情報８３０を管理システムデータベース１２から取り出して、それらの情報に含まれている安全ミーティング実施記録８０１、安全ミーティング参加者画像８１１、安全ミーティング参加記録８３１を合成して編集することによって、安全ミーティング帳票を作成する。
【０１７４】
作成される安全ミーティング帳票の一例が、図１４から図１７に示されている。なお、図１４から図１７に示されている安全ミーティング帳票の作成方法については、後述する。
【０１７５】
ここで、同一の安全ミーティングに基づいて作成された実施記録情報８００と、参加者画像情報８１０と、参加記録情報８３０を抽出する方法について説明する。
【０１７６】
実施記録情報８００と、参加者画像情報８１０と、参加記録情報８３０は、作業現場ＩＤと、日付と、参加者画像ファイル名により関連づけられている。この関連づけ情報に基づいて安全ミーティングが特定されて、特定される安全ミーティングと同一の安全ミーティングに基づいて作成された記録であることが検出できるようになっている。
【０１７７】
これは、同一日付の作業現場において、安全ミーティングが複数存在することはないため、作業現場ＩＤと日付により安全ミーティングを特定することができるという理由による。大規模の工事で複数の工事箇所が同時に発生する場合には、区画番号や工区名で作業現場を分けて作業現場ＩＤを作成することにより、異なる安全ミーティングを同一の安全ミーティングであると誤って検出することを回避できる。
【０１７８】
また、参加者画像情報８１０に含まれていて安全ミーティング参加者画像８１１を示す参加者画像ファイル名８１２が、実施記録情報８００に含まれている関連参加者画像ファイル名８０６と画像連番８０５を用いることによって、特定できるように構成されている。このため、関連参加者画像ファイル名８０６と画像連番８０５から特定されるファイル名に、一致する参加者画像ファイル名８１２を検索することにより、同一の安全ミーティングに基づいて作成されている実施記録情報８００と参加者画像情報８１０を検出できるようになっている。
【０１７９】
さらに、参加記録情報８３０には、日付８３３に加えて、作業現場ＩＤ８３４、または、検出元参加者画像ファイル名８３５のどちらか一方、または、その両方が記録されるようになっている。検出元参加者画像ファイル名８３５には、後述する顔認証サーバ５において画像から参加者を特定する際の検査対象となった画像のファイル名が記録される。参加記録情報８３０に含まれる、日付８３３と作業現場ＩＤ８３４の組合せ、または、検出元参加者画像ファイル名８３５を用いることにより、同一の安全ミーティングに基づいて作成されている実施記録情報８００と参加記録情報８３０を検出できるようになっている。
【０１８０】
図８に示されているように実施記録情報８００には、「日付８０３」と「作業現場ＩＤ８０４」が記録されている。
【０１８１】
作業現場ＩＤは、上述したように、作業現場ごとに１個だけ割り当てられるように構成されており、同一の作業現場について、作業現場ＩＤ８０４と、作業現場ＩＤ８３４は、同一となるように記録されている。したがって、作業現場ＩＤを参照することにより、作業現場をただ一つに決定することができる。
【０１８２】
また、同一の安全ミーティングに対する記録であれば、日付は一致する。
【０１８３】
安全ミーティングは、同一の作業現場で一日一回しか行われないため、作業現場ＩＤから作業現場が分かり、日付が分かれば、記録されている複数の安全ミーティングの中から、一つの安全ミーティングを特定することができる。
【０１８４】
実施記録情報８００に含まれる「日付８０３」と「作業現場ＩＤ８０４」の組合せと、参加記録情報８３０に含まれる「日付８３３」と「作業現場ＩＤ８３４」の組合せとが一致するように、取り出すことにより、同一の安全ミーティングに基づいて作成された実施記録情報８００と参加記録情報８３０を抽出することができる。
【０１８５】
また、同一の安全ミーティングに基づいて作成された実施記録情報８００と参加者画像情報８１０の抽出は、次のように行われる。
【０１８６】
上述したように、参加者画像情報８１０に含まれている参加者画像ファイル名８１２は、撮影される画像を示すファイル名である。また、このファイル名の末尾は、番号になっており、撮影の順番を示すように、撮影ごとに、１ずつその番号が増加するように生成される。
【０１８７】
一方、実施記録情報８００に含まれている関連参加者画像ファイル名８０６には、同一の安全ミーティングで最初に撮影される画像のファイル名が記録される。このため、最初に撮影される安全ミーティング参加者画像８１１を示す参加者画像ファイル名８１２が、関連参加者画像ファイル名８０６として記録される。
【０１８８】
そして、実施記録情報８００に含まれている画像連番８０５には、同一の安全ミーティングにおいて、安全ミーティングの記録として撮影された画像の数が記録される。
【０１８９】
このようになっているため、関連参加者画像ファイル名８０６から、画像連番８０５の数だけ、関連参加者画像ファイル名８０６の末尾の番号を１ずつ増加させるときのファイル名と、参加者画像ファイル名８１２が一致するように検索することにより、同一の安全ミーティングに基づいて記録されている実施記録情報８００と参加者画像情報８１０を抽出することができる。
【０１９０】
また、参加記録情報８３０に含まれている検出元参加者画像ファイル名８３５に記録がされている場合にも、同様に、関連参加者画像ファイル名８０６から、画像連番８０５の数だけ、関連参加者画像ファイル名８０６の末尾の番号を１ずつ増加させるときのファイル名と、検出元参加者画像ファイル名８３５が一致するように検索することにより、同一の安全ミーティングに基づいて記録されている実施記録情報８００と参加記録情報８３０を抽出することができる。
【０１９１】
以上は、実施記録情報８００と、参加者画像情報８１０と、参加記録情報８３０を関連づける情報として、作業現場ＩＤと、日付と、参加者画像ファイル名を用いる方法を説明した。しかし、この他にも、関連づけ情報として、例えば、位置情報（緯度、経度）と時刻情報とを用いて、次のように関連づけをすることができる。
【０１９２】
図９に示されるように参加者画像情報８１０には、位置情報（緯度、経度）８１４と時刻情報８１５が記録されている。これらは、安全ミーティング参加者画像８１１を撮影したときの現場管理者用スマートフォン２の位置情報と、撮影したときの時刻を表している。
【０１９３】
図８に示されているように実施記録情報８００には、位置情報（緯度、経度）と時刻情報の記録がないが、現場管理者用スマートフォン２は、ＧＰＳモジュール２４を内蔵しているため、容易に位置情報（緯度、経度）と時刻情報を追加することができる。例えば、「安全ミーティング編集」画面の入力を行った後、図７（ｅ３）の左下部に配置されている「登録２０７」ボタンを押したときの位置情報（緯度、経度）と時刻情報を安全ミーティング実施記録付加情報８０２に記録するようにしてもよい。
【０１９４】
また、図１２に示されているように参加記録情報８３０にも、位置情報（緯度、経度）と時刻情報が記録されていない。しかし、現場作業員用スマートフォン３もＧＰＳモジュール３４を内蔵しているため、位置情報（緯度、経度）と時刻情報を取得して、参加記録情報８３０の安全ミーティング参加記録付加情報８３２に記録することができる。
【０１９５】
ただし、図１０（ｄ）に示されるように、日報８２１と安全ミーティング参加記録８３１を同じ画面で入力する場合には、その日の作業が終了した後に入力することになる。これを避けるために、アプリケーションソフトを変更して、安全ミーティング参加記録８３１を独立して入力できるようにしてもよい。このように、安全ミーティングが終了したときに、安全ミーティング参加記録８３１を入力できるようにして、そのときの位置情報（緯度、経度）と時刻情報を、安全ミーティング参加記録付加情報８３２に記録するようにしてもよい。
【０１９６】
こうすることによって、安全ミーティング参加者画像８１１を撮影するときの位置及び時刻、「安全ミーティング編集」画面に入力をして「登録２０７」ボタンを押すときの位置及び時刻、安全ミーティングの終了後に安全ミーティング参加記録８３１を入力するときの位置及び時刻は、それぞれ、位置も近く、時刻も近いものとなる。
【０１９７】
このようにした上で、例えば、参加者画像情報８１０に記録されている、位置情報（緯度、経度）８１４と時刻情報８１５を基準にして、安全ミーティング実施記録付加情報８０２に追加して記録される位置情報（緯度、経度）と時刻のそれぞれの差異、及び、安全ミーティング参加記録付加情報８３２に追加して記録される位置情報（緯度、経度）と時刻のそれぞれの差異を計算して、その差異が所定の閾値以下であるという条件を設定することができる。このように設定される条件を満足する実施記録情報８００、参加者画像情報８１０、参加記録情報８３０を同一の安全ミーティングに基づく記録と判定して、関連づけを行うようにしてもよい。
【０１９８】
例えば、参加者画像情報８１０に記録されている位置情報（緯度、経度）８１４と、安全ミーティング実施記録付加情報８０２に追加して記録される位置情報（緯度、経度）との差異から計算される距離の差が１０［ｍ］以内であり、かつ、参加者画像情報８１０に記録されている時刻情報８１５と、安全ミーティング実施記録付加情報８０２に追加して記録される時刻の差異が３０［分］以内であれば、参加者画像情報８１０と実施記録情報８００は、同一の安全ミーティングに基づいて記録されていると判定して、関連づけをするようにしてもよい。
【０１９９】
なお、同一の安全ミーティングに基づいて記録されているかどうかの判定に用いられる位置情報（緯度、経度）の差異の閾値や、時刻情報の差異の閾値は、管理システムサーバ１にあらかじめ記憶させておくことができる。
【０２００】
以上のようにして、実施記録情報８００、参加者画像情報８１０、参加記録情報８３０を関連づける情報に基づいて、同一の安全ミーティングに対する情報を管理システムデータベース１２から取り出すことができる。
【０２０１】
次に、同一の安全ミーティングに基づいて作成されている実施記録情報８００、参加者画像情報８１０、参加記録情報８３０を用いて、安全ミーティング帳票を作成する方法について説明する。
【０２０２】
安全ミーティング帳票としての具体的な書式を示したものが、図１４に示されているリスクアセスメントＫＹ（Ｋ：危険、Ｙ：予知）活動表９００、図１５に示されているリスクアセスメントＫＹ活動表９０２、図１６に示されている安全ミーティング本人確認リスト９０９、図１７に示されているリスクアセスメントＫＹ活動表９１３である。
【０２０３】
なお、これらの書式は、一例であり、変更可能であることはもちろんである。
【０２０４】
また、安全ミーティング帳票として、リスクアセスメントＫＹ活動表９００、リスクアセスメントＫＹ活動表９０２、安全ミーティング本人確認リスト９０９、リスクアセスメントＫＹ活動表９１３からなる４種類の書式をすべて備える必要もない。このうちの１種類から３種類の書式から構成してもよいし、さらに、新たな書式を追加してもよい。
【０２０５】
図１４に示されているリスクアセスメントＫＹ活動表９００は、実施記録情報８００に含まれている安全ミーティング実施記録８０１の内容を編集して作成されている。
【０２０６】
図８に示されている「日付８０３」の内容は、リスクアセスメントＫＹ活動表９００の右上部に記載されている。また、図８の「現場名」、「天候」、「社名またはグループ名」などの内容は、図１４に示されているように、それぞれ、リスクアセスメントＫＹ活動表９００の「現場」、「天候」、「社名またはグループ名」などの欄に記載されている。このように、安全ミーティング実施記録８０１の項目と、リスクアセスメントＫＹ活動表９００の項目は、対応関係があり、各項目ごとに対応する欄に転記されるようになっている。
【０２０７】
リスクアセスメントＫＹ活動表９００の「参加者９０１」の欄に記載されている氏名は、安全ミーティング実施記録８０１の「参加者」の氏名と同一になっている。これは、現場管理者が、図７（ｅ３）及び図７（ｇ）に示されている現場管理者用スマートフォン２の画面から入力した参加者の氏名である。
【０２０８】
図１５に示されているリスクアセスメントＫＹ活動表９０２は、実施記録情報８００に含まれている安全ミーティング実施記録８０１の内容と、参加者画像情報８１０とを、合成して作成される。
【０２０９】
図８に示されている「日付８０３」の内容は、リスクアセスメントＫＹ活動表９０２の右上部に記載されている。また、図８の「現場名」、「天候」、「社名またはグループ名」、「リーダー」、「作業概要」の内容は、図１５に示されているように、それぞれ、リスクアセスメントＫＹ活動表９０２の「現場」、「天候」、「社名またはグループ名」、「リーダー」、「作業概要」の欄に記載されている。
【０２１０】
図１５に示されているリスクアセスメントＫＹ活動表９０２には、２枚の画像が貼付されている。この２枚の画像は、いずれも、図９に示されている、参加者画像情報８１０に含まれている安全ミーティング参加者画像８１１が貼付されたものである。左側の画像は、作業内容が記載された黒板写真９０３であり、右側の画像は、安全ミーティングの参加者の集合写真９０６である。また、これらの写真は、図７（ｆ）に示されているように、現場管理者用スマートフォン２を用いて撮影された黒板写真２１０と集合写真２０９と同一のものである。
【０２１１】
なお、１枚のリスクアセスメントＫＹ活動表９０２に貼付される画像の数は、２枚に限らず、１枚でもよいし、３枚以上であってもよい。また、多数の画像を１枚のリスクアセスメントＫＹ活動表９０２に貼付すると、画像１枚あたり寸法が小さくなり、画像が見にくくなる。このため、１枚のリスクアセスメントＫＹ活動表９０２に貼付する画像の数を２枚程度にして、撮影された画像の数に応じて、リスクアセスメントＫＹ活動表９０２を複数枚、作成するようにしてもよい。
【０２１２】
図１５に示されているリスクアセスメントＫＹ活動表９０２の下部の欄には、「時刻」と「座標」が記載されている。左側の「時刻９０４」と「座標９０５」は、黒板写真９０３が撮影されたときの「時刻」と、そのときの現場管理者用スマートフォン２の「座標」である。右側の「時刻９０７」と「座標９０８」は、集合写真９０６が撮影されたときの「時刻」と、そのときの現場管理者用スマートフォン２の「座標」である。
【０２１３】
これらは、図９に示されている、参加者画像情報８１０に含まれている安全ミーティング参加者画像Ｅｘｉｆタグ８１３の内容が転記されたものになっている。すなわち、安全ミーティング参加者画像Ｅｘｉｆタグ８１３に記録されている時刻情報８１５と位置情報（緯度、経度）８１４が、リスクアセスメントＫＹ活動表９０２の「時刻」と「座標」にそれぞれ記載される。
【０２１４】
図１６に示されている安全ミーティング本人確認リスト９０９は、実施記録情報８００に含まれている安全ミーティング実施記録８０１の内容と、参加記録情報８３０に含まれている安全ミーティング参加記録８３１とを、合成して作成される。
【０２１５】
図８に示されている「日付８０３」の内容は、安全ミーティング本人確認リスト９０９の右上部に記載されている。また、図８の「現場名」の内容は、図１６に示されているように、安全ミーティング本人確認リスト９０９の「現場名９１０」の欄に記載されている。
【０２１６】
安全ミーティング本人確認リスト９０９の「参加者９１１」と「安全ミーティング状況９１２」の欄は、図１２に示されている、安全ミーティング参加記録８３１に含まれる「リソース名」と「参加確認」の内容がそれぞれ転記される。
【０２１７】
なお、図１０（ｄ）に示されている、現場作業員用スマートフォン３の画面の「安全３１３」チェックボタンにチェックを入力すると、安全ミーティング本人確認リスト９０９の「安全ミーティング状況９１２」の欄には、「確認」が記載される。また、「安全３１３」チェックボタンのチェックを外すと、「安全ミーティング状況９１２」の欄は、空欄になる。
【０２１８】
同一の安全ミーティングには、通常、複数の参加者が参加するため、図１２に示されている参加記録情報８３０は、参加者の数に応じて作成される。そして、安全ミーティング本人確認リスト９０９の「参加者９１１」の欄は、同一の安全ミーティングに対して記録された参加記録情報８３０の個数分だけ並べて表示される。
【０２１９】
図１６に示されている安全ミーティング本人確認リスト９０９の例では、「平成３０年８月１６日」に「現場名９１０」が「レーベン小岩」という作業現場で行われた安全ミーティングに参加した９名の「参加者９１１」の氏名が並べて表示されている。
【０２２０】
図１７に示されているリスクアセスメントＫＹ活動表９１３は、実施記録情報８００に含まれている安全ミーティング実施記録８０１の内容と、参加者画像情報８１０に含まれている位置情報（緯度、経度）８１４及び時刻情報８１５と、その位置情報（緯度、経度）８１４に対応する地図とを、合成して作成される。
【０２２１】
参加者画像情報８１０に含まれている位置情報（緯度、経度）８１４は、安全ミーティング参加者画像８１１が撮影された位置を示している。
【０２２２】
リスクアセスメントＫＹ活動表９１３の作成に先立って、管理システムサーバ１は、参加者画像情報８１０に含まれている位置情報（緯度、経度）８１４に対応する地図データを、インターネット６を介して、ＧＩＳ用地理情報提供サーバ９に要求する。この要求に応じて、ＧＩＳ用地理情報提供サーバ９からは、地図データが管理システムサーバ１に向けて送信される。この地図データを受信することにより、管理システムサーバ１では、安全ミーティング参加者画像８１１の撮影位置に対応する地図データが取得される。
【０２２３】
この地図データには、地図情報と座標情報が含まれており、座標を指定することにより、地図上の位置を特定できるようになっている。また、この地図データに基づいて表示される地図の縮尺を変更できるようになっている。
【０２２４】
このようにして、必要な情報が取得されると、リスクアセスメントＫＹ活動表９１３が次のように作成される。
【０２２５】
図８に示されている「日付８０３」の内容が、リスクアセスメントＫＹ活動表９１３の右上部に記載される。また、図８の「現場名」、「天候」、「社名またはグループ名」、「リーダー」、「作業概要」の内容が、図１７に示されているように、それぞれ、リスクアセスメントＫＹ活動表９１３の「現場」、「天候」、「社名またはグループ名」、「リーダー」、「作業概要」の欄に記載される。
【０２２６】
リスクアセスメントＫＹ活動表９１３には、２枚の画像が貼付されている。この２枚の画像は、いずれも、安全ミーティング参加者画像８１１の撮影位置に対応する地図が貼付されたものである。表示されている地図には、安全ミーティング参加者画像８１１の撮影位置が含まれており、地図上に、現場名とともに、撮影位置が示されている。左側の画像は、広い範囲が表示されている作業現場位置図９１４であり、右側の画像は、撮影位置の周囲が拡大して表示されている作業現場箇所図９１７である。これらの地図は、ＧＩＳ用地理情報提供サーバ９から取得された地図データが加工されて表示されたものである。
【０２２７】
リスクアセスメントＫＹ活動表９１３の下部の欄には、「時刻」と「座標」が記載されている。「時刻（時刻９１５、時刻９１８）」は、安全ミーティング参加者画像８１１が撮影されたときの時刻である。すなわち、図９に示されている参加者画像情報８１０に含まれている時刻情報８１５の内容が記載される。
【０２２８】
また、「座標（座標９１６、座標９１９）」は、安全ミーティング参加者画像８１１が撮影されたときの現場管理者用スマートフォン２の座標である。すなわち、図９に示されている参加者画像情報８１０に含まれている位置情報（緯度、経度）８１４の内容が記載される。
【０２２９】
以上が、図１４から図１７に示されている安全ミーティング帳票の作成方法についての説明である。
【０２３０】
なお、同一の安全ミーティングに対する、実施記録情報８００、参加者画像情報８１０、及び、参加記録情報８３０が、管理システムデータベース１２に記録された後であれば、いつでも図１４から図１７に示されている安全ミーティング帳票を作成することができる。このため、管理システムサーバ１が、外部の端末から安全ミーティング帳票の出力要求を受け付けたときに、安全ミーティング帳票を作成するようにしてもよい。
【０２３１】
また、図９に示されるように参加者画像情報８１０には、画像取得位置である位置情報（緯度、経度）８１４と画像取得時刻である時刻情報８１５が記録されている。図１５に示されているリスクアセスメントＫＹ活動表９０２に貼付されている安全ミーティング参加者画像８１１が複数ある場合、それらの画像の間の位置情報（緯度、経度）８１４の差異や、時刻情報８１５の差異が、所定の閾値を超える場合には、警告を発生するようにしてもよい。これは、リスクアセスメントＫＹ活動表９０２に誤った画像が貼付されている可能性を注意喚起するために行われる。
【０２３２】
このように、複数の参加者画像情報８１０に含まれている位置情報（緯度、経度）８１４の差異や、時刻情報８１５の差異は、警告を発するための「参加者画像判定情報」として用いることもできる。
【０２３３】
さらに、上述のように現場管理者用スマートフォン２は、ＧＰＳモジュール２４を内蔵しているため、実施記録情報８００に位置情報（緯度、経度）と時刻情報を追加することができる。このようにした場合には、実施記録情報８００の位置情報（緯度、経度）と参加者画像情報８１０の位置情報（緯度、経度）８１４の差異と、実施記録情報８００の時刻と参加者画像情報８１０の時刻情報８１５との差異について、所定の閾値を決めておき、位置情報、または、時刻のいずれか一方が閾値を超える場合に、警告を発生するようにしてもよい。これは、安全ミーティング実施記録８０１と、安全ミーティング参加者画像８１１との関連づけが間違って行われているおそれを注意喚起するために行われる。
【０２３４】
このように、実施記録情報８００の位置情報（緯度、経度）と参加者画像情報８１０の位置情報（緯度、経度）８１４の差異や、実施記録情報８００の時刻と参加者画像情報８１０の時刻情報８１５との差異を、警告を発するための「実施記録判定情報」として用いることもできる。
【０２３５】
これらの警告は、管理システムサーバ１に安全ミーティング帳票の出力要求を発信した外部の端末に向けて、送信するようにしてもよい。
【０２３６】
以上が、管理システムサーバ１についての説明である。
【０２３７】
次に、図１に示されている顔認証サーバ５について説明する。
【０２３８】
顔認証サーバ５は、インターネット６に接続されており、上述した参加者画像情報８１０を受信すると、その参加者画像情報８１０に含まれている安全ミーティング参加者画像８１１から参加者を特定する。その後、顔認証サーバ５は、特定された参加者がその安全ミーティングに参加していたものとして、参加者画像情報８１０の送信元に向けて、図１２に示されている参加記録情報８３０を作成して送信する。
【０２３９】
上述したように、参加記録情報８３０は、安全ミーティングに参加した現場作業員が現場作業員用スマートフォン３を用いて、図１０（ｄ）に示されている「日報編集」画面の「安全３１３」チェックボックスに入力することにより作成されて、管理システムサーバ１に向けて送信される。
【０２４０】
顔認証サーバ５による参加記録情報８３０の作成と、管理システムサーバ１に向けての送信は、現場作業員用スマートフォン３を用いる方法に代えて、行うことができるものである。すなわち、現場作業員が現場作業員用スマートフォン３を用いて参加記録情報８３０の作成をしなくても、顔認証サーバ５によって参加記録情報８３０を作成することができるようになっている。
【０２４１】
もちろん、現場作業員用スマートフォン３を用いる方法と、顔認証サーバ５を用いる方法の併用により、それぞれ参加記録情報８３０を作成して、管理システムサーバ１に向けて送信するようにしてもよい。このようにするときには、現場作業員用スマートフォン３を用いて作成される参加記録情報８３０と、顔認証サーバ５により作成される参加記録情報８３０の両方が、管理システムサーバ１の管理システムデータベース１２に記憶されて保存されることになる。この場合には、現場作業員用スマートフォン３を用いて作成される参加記録情報８３０に基づいて作成される安全ミーティング帳票と、顔認証サーバ５により作成される参加記録情報８３０に基づいて作成される安全ミーティング帳票の両方が作成されるようにしてもよい。または、どちらか一方を優先して、安全ミーティング帳票が作成されるようにしてもよい。
【０２４２】
また、参加記録情報８３０が作成されなくても、実施記録情報８００や参加者画像情報８１０に基づいて安全ミーティング帳票を作成することができる。このため、現場作業員用スマートフォン３を用いる方法と、顔認証サーバ５を用いる方法のどちらも使用しなくてもよい。顔認証サーバ５が使用されない場合には、安全管理システム１００に顔認証サーバ５が含まれていなくてもよい。
【０２４３】
図６には、顔認証サーバ５の概略ブロック図が示されている。顔認証データベース５２と、図１に示されている管理システムデータベース１２の違いを除けば、図６に示されているブロック図は、図１に示されている管理システムサーバ１のブロック図と同様の構成をしている。
【０２４４】
図６のブロック図は、図１のデータ通信部１１と同機能のデータ通信部５１、表示部１３と同機能の表示部５３、入力部１４と同機能の入力部５４、ＣＰＵ１５と同機能のＣＰＵ５５、主記憶部（ＲＡＭ）１６と同機能の主記憶部（ＲＡＭ）５６、補助記憶部（ハードディスク）１７と同機能の補助記憶部（ハードディスク）５７を含んでいる。また、ＣＰＵ５５と、主記憶部（ＲＡＭ）５６と、補助記憶部（ハードディスク）５７とから、顔認証サーバ制御部５０が構成されている。
【０２４５】
顔認証サーバ制御部５０は、顔認証サーバ５の内部に組み込まれているデータ通信部５１、顔認証データベース５２、表示部５３、入力部５４などが所望の動作を行うように制御する。
【０２４６】
顔認証データベース５２を除く、顔認証サーバ５のブロック図の説明は、図１に示されている管理システムサーバ１のブロック図の説明と重複するため、省略する。
【０２４７】
顔認証データベース５２は、顔認証サーバ制御部５０の制御に基づいて、顔認証に用いられるデータを記憶して保存して、読み出すことができるようになっている。
【０２４８】
図１８に示されているように、顔認証データベース５２には、登録者個人特定情報が保存されている。登録者個人特定情報とは、顔が撮影されている画像に基づいて、あらかじめ登録されている個人の中から、その顔画像の個人を特定するために必要となる情報である。登録者個人特定情報は、氏名、登録前に撮影された顔画像などから構成される。
【０２４９】
顔認証データベース５２には、安全ミーティングの参加者になる可能性がある個人について、あらかじめ登録者個人特定情報が保存されている。そして、外部から顔認証サーバ５に入力される顔画像に対して顔認証を行うときに、顔認証サーバ制御部５０が、顔認証データベース５２から登録者個人特定情報を読み出して、マッチング処理を行い、個人を特定するようになっている。
【０２５０】
顔認証サーバ制御部５０が、入力される顔画像に対して、個人を特定する機能を担い、「顔認証部」に該当する。
【０２５１】
この実施の形態１では、図１に示されているように、管理システムサーバ１と顔認証サーバ５が、インターネット６で接続されている。上述のように、管理システムサーバ１の管理システムデータベース１２には、現場管理者用スマートフォン２から送信されてくる参加者画像情報８１０が保存されている。管理システムサーバ１の管理システムサーバ制御部１０は、管理システムデータベース１２に保存されているデータの中から、参加者画像情報８１０を取り出して、顔認証サーバ５に向けて送信する。そうすると、図１８に示されているように、顔認証サーバ５は、管理システムサーバ１から送信される参加者画像情報８１０を受信する。
【０２５２】
顔認証サーバ５では、このようにして受信された参加者画像情報８１０に含まれる安全ミーティング参加者画像８１１に対して、顔認証が行われて、安全ミーティング参加者画像８１１に顔が写っている参加者が特定される。
【０２５３】
図１９には、顔認証サーバ５に入力される顔画像に対して、その顔画像に対応する個人を特定するまでの顔認証の方法を概略的に説明する図が示されている。
【０２５４】
図１９（ａ）には、入力される顔画像として、複数の顔が撮影されている集合写真が、顔認証サーバ５に入力される一例が示されている。上述のように安全ミーティング参加者画像８１１は、複数の参加者が撮影されている集合写真になることが多い。
【０２５５】
図１９（ａ）に示されている集合写真には、３人の顔が写っている。顔認証サーバ５の顔認証サーバ制御部５０は、目、鼻、口、眉などの特徴を検出して、この３人の顔部分の画像範囲を抽出して顔画像として取り出す。
【０２５６】
図１９（ｂ）には、集合写真から取り出された３人の顔画像が示されている。顔認証サーバ５による顔認証は、この３人すべてに対して行われる。ただし、顔認証の処理は、１人ずつ順次行われる。
【０２５７】
顔認証の処理を行うために、３人の顔画像のうち、１人の顔画像を選択したものが、図１９（ｃ）に示されている図である。顔認証サーバ制御部５０は、この顔画像に対して、マッチング処理に使用される特徴点を抽出する。
【０２５８】
また、図１９（ｄ）に示されているように、顔認証サーバ制御部５０は、顔認証データベース５２にあらかじめ保存されている登録者個人特定情報に含まれている顔画像を取り出して、同様に特徴点を抽出する。
【０２５９】
その後、図１９（ｃ）に示されている顔画像の特徴点と、顔認証データベース５２に保存されている顔画像の特徴点がどの程度一致しているかについてマッチング処理を行う。このマッチング処理のことを顔照合という。マッチング処理を示す部分が、図１９（ｅ）である。
【０２６０】
図１９（ｃ）に示されている１つの顔画像に対して、顔認証データベース５２に保存されている顔画像は、順次、取り出されて、マッチング処理が行われる。このようにして、図１９（ｃ）に示されている顔画像の個人と、顔認証データベース５２に保存されている顔画像の個人が、一致していると判定されるまで、このマッチング処理が繰り返される。そして、図１９（ｃ）に示されている顔画像の個人と、顔認証データベース５２の顔画像の個人が一致すると判定されると、マッチング処理が終了される。
【０２６１】
このようにして、顔画像から個人が特定された結果が、図１９（ｆ）に示されている。図１９（ｆ）に示されているように、ヘルメットを着用した顔画像と、未着用の顔画像に対してもマッチング処理を行うことができる。また、写っている顔の向きが異なる顔画像や、解像度の異なる顔画像に対してもマッチング処理を行うことができる。
【０２６２】
安全ミーティング参加者画像８１１に撮影されている顔画像から特定される個人は、安全ミーティングへの参加者として取り扱われる。
【０２６３】
顔認証サーバ５では、図９に示されている参加者画像情報８１０に含まれている安全ミーティング参加者画像８１１に基づいて、安全ミーティングへの参加者を特定した後に、図１２に示されている参加記録情報８３０を作成する。
【０２６４】
上述のように、参加記録情報８３０は、安全ミーティング参加記録８３１と安全ミーティング参加記録付加情報８３２から構成されている。安全ミーティング参加記録８３１は、「日付８３３」、「リソース名」、「参加確認」を含んでいる。また、安全ミーティング参加記録付加情報８３２は、「作業現場ＩＤ８３４」と「検出元参加者画像ファイル名８３５」を含んでいる。
【０２６５】
上述したように「検出元参加者画像ファイル名８３５」には、顔認証サーバ５において、顔認証を行う対象となる画像を示すファイル名が記録される。
【０２６６】
参加記録情報８３０は、次のように作成される。
【０２６７】
図９に示されているように参加者画像情報８１０には、「時刻情報８１５」と「参加者画像ファイル名８１２」が記録されている。
【０２６８】
「時刻情報８１５」は、日付と、時分秒とから構成されているため、日付を検出することができる。このため、この日付が、参加記録情報８３０の「日付８３３」の欄に書き込まれる。
【０２６９】
「参加者画像ファイル名８１２」は、参加者画像情報８１０に含まれる安全ミーティング参加者画像８１１を示すファイル名である。安全ミーティング参加者画像８１１が、顔認証サーバ５において、顔認証を行う対象となる。このため、「参加者画像ファイル名８１２」と同一のファイル名が、参加記録情報８３０の「検出元参加者画像ファイル名８３５」の欄に記録される。
【０２７０】
なお、図９に示されているように参加者画像情報８１０には、作業現場ＩＤが含まれていないため、顔認証サーバ５では、作業現場ＩＤを検出することができない。このため、参加記録情報８３０の「作業現場ＩＤ８３４」の欄は、空欄となる。
【０２７１】
顔認証サーバ５で特定された安全ミーティングへの参加者の氏名が、参加記録情報８３０の「リソース名」の欄に書き込まれて、「参加確認」の欄が「確認」になる。
【０２７２】
このようにして作成される参加記録情報８３０は、図１８に示されているように、顔認証サーバ５から管理システムサーバ１に向けて送信される。
【０２７３】
管理システムサーバ１は、このようにして送信されてくる参加記録情報８３０を受信して、管理システムデータベース１２に記憶させて保存する。
【０２７４】
顔認証サーバ５により作成される参加記録情報８３０と、現場作業員用スマートフォン３を用いて作成される参加記録情報８３０は、同一の構造をしている。このため、図１６に示されている安全ミーティング本人確認リスト９０９を作成する際には、顔認証サーバ５により作成される参加記録情報８３０が、現場作業員用スマートフォン３を用いて作成される参加記録情報８３０と同様に用いられて作成される。
【０２７５】
また、顔認証サーバ５を使用すると、安全ミーティング参加者画像８１１に顔が写っている参加者の全員が自動的に特定される。このため、入力忘れなどの人為的なミスが生じることなく、正確に、安全ミーティングへの参加者を確認することができる。
【０２７６】
安全ミーティング帳票に入力ミスなどがある場合には、顔認証サーバ５により作成される参加記録情報８３０に基づいて、ミスの生じている部分の訂正をすることもできる。例えば、図１４に示されているリスクアセスメントＫＹ活動表９００の「参加者９０１」の欄に記載されている複数の氏名と、図１６に示されている安全ミーティング本人確認リスト９０９から参加の確認がされている複数の氏名とが、一致していない場合、安全ミーティング本人確認リスト９０９に基づいて、リスクアセスメントＫＹ活動表９００の「参加者９０１」の欄に記載されている氏名を訂正することもできる。
【０２７７】
以上が、顔認証サーバ５についての説明である。
【０２７８】
次に、図１に示されている安全管理者用ＰＣ４について説明する。
【０２７９】
安全管理者用ＰＣ４は、安全ミーティング帳票の閲覧や印刷に使用される。
【０２８０】
この実施の形態１では、安全管理者用ＰＣ４が、事務所にいる安全管理者によって使用されることが想定されている。安全管理者用ＰＣ４を、屋内だけでなく屋外で使用できることや、安全管理者以外の者が使用できることは、言うまでもない。
【０２８１】
また、安全管理者用ＰＣ４には、ＰＣが使用されているが、ＰＣ以外にも、スマートフォン、携帯電話、ＰＤＡ、タブレットなどの情報端末を用いることができる。
【０２８２】
安全管理者用ＰＣ４の概略ブロック図が、図５に示されている。安全管理者用ＰＣ４は、データ通信部４１、ＬＣＤ４２、キーボード４３、プリンタ接続部４４、外部記憶デバイス接続部４５、ＣＰＵ４６、主記憶部（ＲＡＭ）４７、補助記憶部（ハードディスク）４８を含む構成になっている。また、ＣＰＵ４６と、主記憶部（ＲＡＭ）４７と、補助記憶部（ハードディスク）４８とにより、安全管理者用ＰＣ制御部４０を構成している。
【０２８３】
補助記憶部（ハードディスク）４８には、電源を切ってもプログラムやデータが消滅せずに保持されるようにハードディスクが用いられている。ハードディスク以外にも、フラッシュメモリや光ディスクなどその他の記憶装置を用いることができる。
【０２８４】
主記憶部（ＲＡＭ）４７には、ＣＰＵ４６で行われるプログラムの実行やデータ処理に使用されるデータを一時的に記憶させておくことができる。
【０２８５】
ＣＰＵ４６は、主記憶部（ＲＡＭ）４７を使用しながら、補助記憶部（ハードディスク）４８に記憶されているプログラムやデータを実行したり処理したりする。
【０２８６】
安全管理者用ＰＣ制御部４０は、安全管理者用ＰＣ４の内部に組み込まれているデータ通信部４１、ＬＣＤ４２、キーボード４３、プリンタ接続部４４、外部記憶デバイス接続部４５などが所望の動作を行うように制御する。
【０２８７】
データ通信部４１は、安全管理者用ＰＣ制御部４０の制御に基づいて、安全管理者用ＰＣ４がインターネット６に接続されて、データの送受信ができるように機能する。
【０２８８】
ＬＣＤ４２は、安全管理者用ＰＣ制御部４０の制御に基づいて、画面の表示に使用される。
【０２８９】
キーボード４３は、安全管理者用ＰＣ制御部４０の制御に基づいて、入力装置として使用される。なお、タッチパネルなどのその他の入力装置を使用することができる。
【０２９０】
プリンタ接続部４４は、安全管理者用ＰＣ制御部４０の制御に基づいて、プリンタに接続されて、ＬＣＤ４２に表示されている画面などを印刷できるように機能する。なお、インターネット６に接続されているプリンタを使用して、印刷するようにしてもよい。
【０２９１】
外部記憶デバイス接続部４５は、安全管理者用ＰＣ制御部４０の制御に基づいて、ＳＤメモリカードやＵＳＢメモリなどの外部メモリに接続して、接続されている外部メモリに対して、データの読み書きができるように機能する。外部メモリとして、ハードディスクや、光ディスクなどのその他の種類の不揮発性メモリを使用できる。
【０２９２】
次に、管理システムサーバ１にアクセスして、安全ミーティング帳票の出力要求をするときの安全管理者用ＰＣ４の画面の一例を示す。
【０２９３】
図２０には、安全管理者用ＰＣ４の画面の遷移の様子が示されている。
【０２９４】
まず、安全管理者は、安全管理者用ＰＣ４をインターネット６に接続して、管理システムサーバ１にアクセスする。こうすることにより、管理システムサーバ１からは、図２０（ａ）に示されるようなログイン画面が送信されて、安全管理者用ＰＣ４に表示される。安全管理者が、自らの「ユーザーＩＤ」と「パスワード」を入力して、「ログイン」ボタンを押すことにより、図２０（ｂ）に示されるような「メニュー」画面が表示される。
【０２９５】
「メニュー」画面には、「現場ごとに予定作成４００」ボタン、「リソースごとに予定作成４０１」ボタン、「帳票出力４０２」ボタンなどが表示される。
【０２９６】
「現場ごとに予定作成４００」ボタンを押すと、作業現場ごとの予定の作成や変更などができるようになる。
【０２９７】
「リソースごとに予定作成４０１」ボタンを押すと、職員ごとの予定の作成や変更などができるようになる。
【０２９８】
作成された予定は、現場管理者用スマートフォン２や現場作業員用スマートフォン３などを用いて、全職員が閲覧することができて、共有することができるようになっている。また、協力会社は請けた現場の予定を確認することができるようになっている。
【０２９９】
「帳票出力４０２」ボタンを押すと、日報、週報、月報、安全ミーティング帳票の出力要求を入力できるようになっている。
【０３００】
安全ミーティング帳票の出力要求を入力するには、図２０（ｂ）に示されている「メニュー」画面の中から、「帳票出力４０２」ボタンを選択して押す。こうすると、図２０（ｃ）に示されている「帳票出力」画面が表示される。
【０３０１】
「帳票出力」画面では、下部に配置されている「その他出力」の表示に対応する「日付４０３」ボックスと、現場名（図２０には、図示せず）を指定する。現場名と日付が特定されると、該当する安全ミーティングが１つだけ決定できるためである。「帳票出力」画面で、このような指定を入力した後に、「安全ミーティングの出力４０４」ボタンを押すことによって、出力要求の内容が確定される。また、同時に、入力された出力要求が、インターネット６を介して、安全管理者用ＰＣ４から管理システムサーバ１に向けて送信される。
【０３０２】
管理システムサーバ１は、安全管理者用ＰＣ４から送信されてくる安全ミーティング帳票の出力要求を受信すると、上述したように図１４から図１７に示されているような安全ミーティング帳票を作成する。そして、管理システムサーバ１は、出力要求の送信元である安全管理者用ＰＣ４に向けて、作成された安全ミーティング帳票の送信を行う。
【０３０３】
安全管理者用ＰＣ４は、管理システムサーバ１から送信されてくる安全ミーティング帳票を受信して、その画面であるＬＣＤ４２に安全ミーティング帳票が表示されて閲覧できるようになっている。具体的には、安全ミーティング帳票として、図１４に示されているようなリスクアセスメントＫＹ活動表９００、図１５に示されているようなリスクアセスメントＫＹ活動表９０２、図１６に示されているような安全ミーティング本人確認リスト９０９、図１７に示されているようなリスクアセスメントＫＹ活動表９１３が閲覧できるようになっている。
【０３０４】
また、安全管理者用ＰＣ４は、受信した安全ミーティング帳票を印刷できるようになっている。
【０３０５】
以上が、安全管理者用ＰＣ４についての説明である。
【０３０６】
図１に示されているインターネット６については、ローカルエリアネットワーク（Local Area Network）などのネットワークを使用してもよい。
【０３０７】
また、ＧＰＳシステム７については、ＧＬＯＮＡＳＳ、Ｇａｌｉｌｅｏ、みちびき等のその他の衛星測位システムを使用することができる。
【０３０８】
次に、この実施の形態１に係る安全管理システム１００の使用方法について説明する。
【０３０９】
作業現場では、毎朝、その日の作業前に安全ミーティングが行われる。安全ミーティングを行った現場管理者が、安全ミーティングの内容を、現場管理者用スマートフォン２に入力すると、その内容が、管理システムサーバ１に送信されて保存される。そして、その日の作業が終了した後に、現場作業員が、日報や安全ミーティングへの参加の申請を現場作業員用スマートフォン３に入力すると、その内容が管理システムサーバ１に送信されて保存される。その後、安全管理者が、安全ミーティング帳票の出力要求を安全管理者用ＰＣ４に入力すると、その出力要求が管理システムサーバ１に送信される。この出力要求を受信した管理システムサーバ１では、安全ミーティング帳票が作成される。作成された安全ミーティング帳票は、安全管理者用ＰＣ４に送信されて、画面に表示される。
【０３１０】
まず、図１に示されている安全管理システム１００の構成から、顔認証サーバ５を除いたシステム構成を用いるときの使用方法について説明する。
【０３１１】
上述のように、顔認証サーバ５は、参加者画像情報８１０が入力されると、その参加者画像情報８１０に含まれている安全ミーティング参加者画像８１１に基づいて、安全ミーティングへの参加者を特定する。このようにして特定された参加者について、顔認証サーバ５では、参加記録情報８３０が作成されて、出力として送信される。
【０３１２】
顔認証サーバ５を除くシステム構成では、顔認証サーバ５の代わりに、現場作業員が、現場作業員用スマートフォン３を用いて、安全ミーティングへの参加の申請を行うことによって、参加記録情報８３０が作成される。作成された参加記録情報８３０は、管理システムサーバ１に送信されて、保存される。
【０３１３】
図２１には、顔認証サーバ５を除く安全管理システム１００の使用方法を概略的に説明するフローチャートが示されている。
【０３１４】
作業現場における一日の流れが、図２１の左端のフローチャートに示されている。毎朝、その日の作業が始まる前に、安全ミーティングが実施される（Ｓ１ステップ）。安全ミーティングの終了後、その日の作業が行われる（Ｓ２ステップ）。その日の作業が終了した後、行った作業についての日報が入力される（Ｓ３ステップ）。
【０３１５】
現場管理者は、現場作業員に対して安全ミーティングを実施（Ｓ１ステップ）した後、現場管理者用スマートフォン２を用いて、安全ミーティング実施記録８０１を入力するとともに、安全ミーティング参加者画像８１１を撮影する。
【０３１６】
現場管理者が、現場管理者用スマートフォン２から、インターネット６を介して、管理システムサーバ１にログインしてアクセスすると、管理システムサーバ１からは、図７（ｂ）に示されているような「メニュー」画面が送信されてくる。現場管理者は、安全ミーティング実施記録８０１の入力を行うため、現場管理者用スマートフォン２に表示されている「メニュー」画面や、それに続く図７（ｃ）、（ｄ）に示されているような画面に入力を行う。こうすることにより、管理システムサーバ１からは、図７（ｅ１）から（ｅ３）に示されているような「安全ミーティング編集」画面が送信されてくる（Ｓ１００ステップ）。
【０３１７】
現場管理者用スマートフォン２では、このようにして送信されてくる「安全ミーティング編集」画面を受信して（Ｓ２００ステップ）、画面の表示が行われる。
【０３１８】
現場管理者は、現場管理者用スマートフォン２に表示される「安全ミーティング編集」画面に安全ミーティング実施記録８０１を入力する（Ｓ２０１ステップ）とともに、現場管理者用スマートフォン２を用いて、安全ミーティング参加者画像８１１を撮影する（Ｓ２０２ステップ）。安全ミーティング参加者画像８１１は、その一例として、図７（ｆ）に示されているような安全ミーティングの参加者の顔が確認できる集合写真２０９となる。
【０３１９】
現場管理者が、安全ミーティング実施記録８０１の入力と、安全ミーティング参加者画像８１１の撮影をして、その内容を確定すると、図８に示されている、安全ミーティング実施記録８０１を含む実施記録情報８００と、図９に示されている、安全ミーティング参加者画像８１１を含む参加者画像情報８１０が、現場管理者用スマートフォン２から管理システムサーバ１に向けて送信される。
【０３２０】
管理システムサーバ１では、現場管理者用スマートフォン２から送信される実施記録情報８００を受信する（Ｓ１０１ステップ）とともに、参加者画像情報８１０を受信する（Ｓ１０２ステップ）。管理システムサーバ１は、受信した実施記録情報８００と参加者画像情報８１０を、管理システムデータベース１２に記憶させて保存する。
【０３２１】
現場作業員は、その日の作業（Ｓ２ステップ）が終了した後、現場作業員用スマートフォン３を用いて、日報８２１と、安全ミーティング参加記録８３１を入力する。
【０３２２】
現場作業員が、現場作業員用スマートフォン３から、インターネット６を介して、管理システムサーバ１にログインしてアクセスすると、管理システムサーバ１からは、図１０（ｂ）に示されているような「メニュー」画面が送信されてくる。現場作業員は、日報８２１と、安全ミーティング参加記録８３１の入力を行うため、現場作業員用スマートフォン３に表示されている「メニュー」画面や、それに続く図１０（ｃ）に示されているような画面に入力を行う。こうすることにより、管理システムサーバ１からは、図１０（ｄ）に示されているような「日報編集」画面が送信されてくる（Ｓ１０３ステップ）。
【０３２３】
現場作業員用スマートフォン３では、このようにして送信されてくる「日報編集」画面を受信して（Ｓ３０１ステップ）、画面の表示が行われる。
【０３２４】
現場作業員は、現場作業員用スマートフォン３に表示される「日報編集」画面に日報８２１とともに、安全ミーティング参加記録８３１を入力する（Ｓ３０２ステップ）。
【０３２５】
現場作業員が、日報８２１と、安全ミーティング参加記録８３１の入力をして、その内容を確定すると、図１１に示されている、日報８２１を含む日報情報８２０と、図１２に示されている、安全ミーティング参加記録８３１を含む参加記録情報８３０が、現場作業員用スマートフォン３から管理システムサーバ１に向けて送信される。
【０３２６】
管理システムサーバ１では、現場作業員用スマートフォン３から送信される日報情報８２０を受信する（Ｓ１０４ステップ）とともに、参加記録情報８３０を受信する（Ｓ１０５ステップ）。管理システムサーバ１は、受信した日報情報８２０と参加記録情報８３０を、管理システムデータベース１２に記憶させて保存する。
【０３２７】
安全管理者は、安全管理者用ＰＣ４を用いて、安全ミーティング帳票の出力要求を管理システムサーバ１に対して行う。また、安全管理者は、その出力要求の応答として管理システムサーバ１から送信されてくる安全ミーティング帳票を、安全管理者用ＰＣ４に表示させて、閲覧や印刷をする。
【０３２８】
安全管理者が、安全管理者用ＰＣ４から、インターネット６を介して、管理システムサーバ１にログインしてアクセスすると、管理システムサーバ１からは、図２０（ｂ）に示されているような「メニュー」画面が送信されてくる。安全管理者は、安全ミーティング帳票の出力要求を行うため、安全管理者用ＰＣ４に表示されている「メニュー」画面に入力を行う。こうすることにより、管理システムサーバ１からは、図２０（ｃ）に示されているような「帳票出力」画面が送信されてくる（Ｓ１０６ステップ）。
【０３２９】
安全管理者用ＰＣ４では、このようにして送信されてくる「帳票出力」画面を受信して（Ｓ４００ステップ）、画面の表示が行われる。
【０３３０】
安全管理者は、安全管理者用ＰＣ４に表示される「帳票出力」画面に、「日付４０３」と、現場名を入力して、帳票を出力させようとする安全ミーティングの指定を行う。このようにして入力される帳票の出力要求は、安全管理者用ＰＣ４から管理システムサーバ１に向けて送信される（Ｓ４０１ステップ）。
【０３３１】
管理システムサーバ１では、安全管理者用ＰＣ４から送信されてくる帳票の出力要求が受信される（Ｓ１０７ステップ）。そして、受信された帳票の出力要求に応じて、安全ミーティング帳票が作成される（Ｓ１０８ステップ）。安全ミーティング帳票を作成する際、管理システムサーバ１は、安全ミーティング参加者画像８１１が撮影された位置の地図データを、ＧＩＳ用地理情報提供サーバ９にインターネット６を介して要求することにより、ＧＩＳ用地理情報提供サーバ９から地図データを取得する。以上のようにして得られる地図データを含む情報に基づいて作成される安全ミーティング帳票は、図１４から図１７に示されているような内容になっている。このようにして作成された安全ミーティング帳票が、管理システムサーバ１から安全管理者用ＰＣ４に向けて送信される（Ｓ１０９ステップ）。
【０３３２】
安全管理者用ＰＣ４では、管理システムサーバ１から送信されてくる安全ミーティング帳票が受信されて（Ｓ４０２ステップ）、受信される安全ミーティング帳票が画面に表示される（Ｓ４０３ステップ）。安全管理者は、安全管理者用ＰＣ４に表示されている安全ミーティング帳票を閲覧することができて、必要に応じて、印刷することができるようになっている。
【０３３３】
以上が、顔認証サーバ５を除く安全管理システム１００の使用方法の説明である。
【０３３４】
次に、図１に示されているように、顔認証サーバ５を含むシステム構成の安全管理システム１００の使用方法について説明する。
【０３３５】
顔認証サーバ５を含むシステム構成では、顔認証サーバ５を用いて、参加記録情報８３０が作成されるため、現場作業員による現場作業員用スマートフォン３を用いての参加記録情報８３０の作成は行われない。
【０３３６】
図２２には、顔認証サーバ５を含む安全管理システム１００の使用方法を概略的に説明するフローチャートが示されている。
【０３３７】
図２２と図２１を比較すると、参加記録情報８３０の作成方法が異なるのみであるため、重複する部分が多い。
【０３３８】
図２２と図２１の相違点は、顔認証サーバ５に対するフローチャートの有無、現場作業員用スマートフォン３に対するフローチャートのＳ３１２ステップとＳ３０２ステップの内容における安全ミーティング参加記録の入力の有無、管理システムサーバ１に対するフローチャートの参加者画像情報の送信（Ｓ１１３ステップ）の有無、及び、管理システムサーバ１に対するフローチャートにおけるＳ１１４ステップとＳ１０５ステップの位置である。
【０３３９】
図２２に示されているフローチャートの説明は、図２１のフローチャートとの重複部分については省略して、相違点の部分についてのみ行う。
【０３４０】
安全ミーティングの実施（Ｓ１０ステップ）後、現場管理者は、現場管理者用スマートフォン２を用いて、安全ミーティング実施記録８０１を入力して（Ｓ２１１ステップ）、安全ミーティング参加者画像８１１を撮影する（Ｓ２１２ステップ）。
【０３４１】
安全ミーティング実施記録８０１を含む実施記録情報８００と、安全ミーティング参加者画像８１１を含む参加者画像情報８１０が、現場管理者用スマートフォン２から送信されて、管理システムサーバ１に受信される（Ｓ１１１ステップ、Ｓ１１２ステップ）。
【０３４２】
受信される実施記録情報８００と参加者画像情報８１０は、管理システムサーバ１に記憶されて保存される。
【０３４３】
ここで、参加記録情報８３０を作成するために、管理システムサーバ１は、参加者画像情報８１０を顔認証サーバ５に向けて送信する（Ｓ１１３ステップ）。
【０３４４】
顔認証サーバ５では、管理システムサーバ１から送信されてくる参加者画像情報８１０を受信する（Ｓ５１０ステップ）とともに、参加者画像情報８１０に含まれる安全ミーティング参加者画像８１１に顔が写っているすべての参加者を図１９に示されているような顔認証の処理によって特定する（Ｓ５１１ステップ）。
【０３４５】
顔認証により特定される安全ミーティングへの参加者について、顔認証サーバ５では、参加記録情報８３０を作成して、管理システムサーバ１に向けて送信する（Ｓ５１２ステップ）。
【０３４６】
このようにして参加者画像情報８１０に基づいて、顔認証サーバ５で作成される参加記録情報８３０は、管理システムサーバ１に受信されて（Ｓ１１４ステップ）、管理システムデータベース１２に保存される。
【０３４７】
その日の作業（Ｓ２ステップ）が終了した後、現場作業員は、現場作業員用スマートフォン３を用いて、日報８２１を入力する（Ｓ３１２ステップ）。ここで、図２２に示されているフローチャートでは、参加記録情報８３０の作成は、顔認証サーバ５で行い、現場作業員用スマートフォン３を用いては行われないため、Ｓ３１２ステップには、安全ミーティング参加記録８３１の入力についての記載がない。
【０３４８】
その後、現場作業員用スマートフォン３に入力される日報８２１を含む日報情報８２０が、管理システムサーバ１に向けて送信される。管理システムサーバ１では、このようにして送信されてくる日報情報８２０を受信して（Ｓ１１６ステップ）、管理システムデータベース１２に保存する。
【０３４９】
その後、安全管理者用ＰＣ４から、帳票の出力要求が送信されて（Ｓ４１１ステップ）くれば、管理システムサーバ１では、安全ミーティング帳票が作成される（Ｓ１１９ステップ）。安全ミーティング帳票を作成する際、管理システムサーバ１は、安全ミーティング参加者画像８１１が撮影された位置の地図データを、ＧＩＳ用地理情報提供サーバ９から取得する。以上のようにして得られる地図データを含む情報に基づいて安全ミーティング帳票が作成される。作成される安全ミーティング帳票は、安全管理者用ＰＣ４に送信されて（Ｓ１２０ステップ）、安全管理者用ＰＣ４では、受信される安全ミーティング帳票の閲覧や印刷ができる（Ｓ４１３ステップ）ようになっている。
【０３５０】
以上が、顔認証サーバ５を含む安全管理システム１００の使用方法の説明である。
【０３５１】
次に、この実施の形態１に係る安全管理システム１００により認められる効果を説明する。
【０３５２】
この安全管理システム１００によれば、作成される安全ミーティング帳票には、図１５に示されているリスクアセスメントＫＹ活動表９０２のように、安全ミーティングに参加した参加者の顔が認識できて、参加者が安全ミーティングに参加したことを特定できる画像が含まれているため、画像に写っており、人物が特定された参加者は、確実に安全ミーティングに参加していたことが確認できる。
【０３５３】
また、この安全管理システム１００によれば、安全ミーティングを行う現場管理者の現場管理者用スマートフォン２から送信される実施記録情報８００と参加者画像情報８１０とが、インターネット６を介して管理システムサーバ１に受信されて受け付けられる。このため、安全ミーティングの行われた作業現場から遠く離れた場所でも、現場管理者用スマートフォン２に入力される実施記録情報８００と参加者画像情報８１０に基づいて、短時間で安全ミーティング帳票を作成することができる。
【０３５４】
さらに、この安全管理システム１００によれば、顔認証サーバ５によって、安全ミーティング参加者画像８１１とあらかじめ登録されている顔画像とから、自動的に人物が特定されるため、現場管理者が安全ミーティングへの参加者を直接、入力することなく、安全ミーティングへの参加者を安全ミーティング帳票に記載することができる。この結果、安全ミーティングへの参加者の入力の手間が省かれて、省力化できる。
【０３５５】
またさらに、この安全管理システム１００によれば、安全ミーティング参加者画像８１１に顔が写っている参加者の全員が自動的に特定されるため、入力忘れなどの人為的なミスが生じることなく、正確に、安全ミーティングへの参加者を確認することができる。
【０３５６】
さらにまた、この安全管理システム１００によれば、安全ミーティングへの参加者が安全ミーティングに参加したことを申請する記録が、図１６に示されている安全ミーティング本人確認リスト９０９のように、安全ミーティング帳票に記載される。このため、安全ミーティングへの参加の確認を、参加者の意思の表示に基づいて確実に行うことができる。
【０３５７】
また、この安全管理システム１００によれば、安全ミーティングを受ける現場作業員の現場作業員用スマートフォン３から送信される参加記録情報８３０が、インターネット６を介して管理システムサーバ１に受信されて受け付けられる。このため、安全ミーティングの行われた作業現場から遠く離れた場所でも、現場作業員用スマートフォン３に入力される安全ミーティング参加記録８３１が記載されている安全ミーティング帳票を短時間で作成することができる。
【０３５８】
さらに、この安全管理システム１００によれば、参加者画像情報８１０は、安全ミーティング参加者画像８１１が撮影された画像取得位置である位置情報（緯度、経度）８１４と画像取得時刻である時刻情報８１５とを含み、安全ミーティング参加者画像８１１が複数あるときに、複数の画像取得位置である位置情報（緯度、経度）８１４の間の差異と、複数の画像取得時刻である時刻情報８１５の間の差異とが判定されて、それらの差異が閾値を超えている場合には、警告を発生させる。このため、適切でない安全ミーティング参加者画像８１１が誤って使用されることを防ぎ、また、不正を防止することができる。
【０３５９】
またさらに、この安全管理システム１００によれば、実施記録情報８００には、安全ミーティング実施記録８０１が記録された安全ミーティング記録位置と安全ミーティング記録時刻とを含めることができて、安全ミーティング参加者画像８１１が撮影された画像取得位置である位置情報（緯度、経度）８１４と安全ミーティング記録位置との間の差異と、安全ミーティング参加者画像が撮影された画像取得時刻である時刻情報８１５と安全ミーティング記録時刻との間の差異とが判定されて、それらの差異が閾値を超えている場合には、警告を発生させるようにすることができる。このため、安全ミーティング実施記録８０１と、安全ミーティング参加者画像８１１が、適切な関連づけがされず、誤って使用されることを防止することができる。
【０３６０】
さらにまた、この安全管理システム１００によれば、安全ミーティング実施記録８０１は、安全ミーティングの実施内容を表示する文字で構成される。この結果、データ量を小さくすることができて、データ処理の負担を小さく抑えることができるため、高速に安全ミーティング帳票を作成することができる。
【０３６１】
またさらに、この安全管理システム１００によれば、プログラムにより安全管理システム１００が機能するため、安全管理システム１００の保守管理を柔軟に行うことができる。
【０３６２】
［発明の実施の形態２］
この発明の実施の形態２について、図２３から図２７を用いて説明する。
【０３６３】
図２３は、本発明に係る安全管理システム１０１の全体構成を示す概略ブロック図である。このシステムは、安全ミーティング帳票の作成を行うことができる。
【０３６４】
この機能を実現するために、この安全管理システム１０１は、安全管理者用ＰＣ４、顔認証サーバ５、インターネット６、ＧＰＳシステム７、ＧＰＳ機能付きカメラ８、ＳＤメモリカード８０、ＧＩＳ用地理情報提供サーバ９を含む構成になっている。
【０３６５】
この安全管理システム１０１の動作の概要は、次のようになる。
【０３６６】
安全ミーティングを行う現場管理者は、ＧＰＳ機能付きカメラ８を用いて、その日の作業内容など安全ミーティングの実施内容が記載された黒板を写した黒板写真とともに、安全ミーティングへの参加者の画像を撮影する。
【０３６７】
撮影されるこれらの画像は、ＧＰＳ機能付きカメラ８に装着されているＳＤメモリカード８０に記憶される。
【０３６８】
安全ミーティング帳票を作成するには、ＧＰＳ機能付きカメラ８から、ＳＤメモリカード８０を取り出して、安全管理者用ＰＣ４に装着して、これらの画像を読み込ませる。そして、安全管理者用ＰＣ４では、これらの画像に基づいて、安全ミーティング帳票が作成されて、表示される。
【０３６９】
また、顔認証サーバ５は、実施の形態１と同様に、顔画像を含む画像が入力されると、その画像に基づいて安全ミーティングへの参加者が特定されて、参加者の情報を出力するようになっている。
【０３７０】
ＧＩＳ用地理情報提供サーバ９は、実施の形態１と同様に、要求に基づいて、ＧＩＳに使用される地図データや航空写真データなどを出力するようになっている。
【０３７１】
この実施の形態２に係る安全管理システム１０１と、実施の形態１に係る安全管理システム１００の相違は、黒板写真に記載されている安全ミーティングの実施内容が、現場管理者用スマートフォン２に入力される安全ミーティング実施記録８０１に代えて、安全ミーティングの記録を示すものとして用いられることである。
【０３７２】
以下に、図２３に示されているこの安全管理システム１０１の各要素について説明する。ただし、実施の形態１に係る安全管理システム１００と重複する部分については、説明を省略する。
【０３７３】
まず、図２３に示されているＧＰＳ機能付きカメラ８について説明する。
【０３７４】
このＧＰＳ機能付きカメラ８は、ＧＰＳシステム７からの信号を受信して、地球上の現在位置を測定できるようになっている。この機能を利用して、撮影される画像には、撮影したときの位置情報や時刻情報が付加される。
【０３７５】
また、この画像には、画像が変更されたことを検出できる情報が付加されており、一般に流通している判定ソフトウェアを用いることによって、画像が変更されたことを容易に検出することができる。このため、画像が改ざんされると、その改ざんを確実に検出できて、不正を防止できるようになっている。
【０３７６】
なお、ＧＰＳ機能付きカメラ８は、メモ機能を備えており、撮影前や撮影後に撮影者が入力する文字列が、撮影される画像に記録されるようになっている。ＧＰＳ機能付きカメラ８には、メモ機能を有する市販のカメラを使用することができる。
【０３７７】
図２４（ａ）には、安全ミーティングの実施内容が記載されている黒板を撮影した黒板写真８６０の一例が示されている。この画像には、「日付」、「作業内容」、「危険のポイント」、「私達はこうする」、「会社名」、「リーダー名」、「作業員数」など、安全ミーティング帳票に記載すべき安全ミーティングの内容が写っている。この実施の形態２に係る安全管理システム１０１では、安全ミーティングの内容を文字で入力せずに、安全ミーティングの内容が撮影されている画像を使用することにより、安全ミーティング帳票が作成される。
【０３７８】
このため、安全ミーティングの実施内容が記録される安全ミーティング実施記録として、図２４（ａ）に示されているような黒板写真８６０が使用される。この黒板写真８６０のように、安全ミーティング実施記録として使用される画像を安全ミーティング実施記録画像８４１という。
【０３７９】
なお、図２４（ａ）に示されている画像は、黒板を撮影したものであるが、黒板以外の表示物に安全ミーティングの実施内容を記載して、それを撮影してもよいことはもちろんである。
【０３８０】
安全ミーティング実施記録画像８４１を含むデータを、ＧＰＳ機能付きカメラ８と安全管理者用ＰＣ４の間で受け渡しするときのデータの構成は、実施の形態１で使用される図８に示されているような実施記録情報８００に代えて、図２５に示されているような実施記録情報８４０が使用される。
【０３８１】
実施記録情報８４０は、安全ミーティング実施記録画像８４１と、実施記録画像ファイル名８４２と、安全ミーティング実施記録画像付加情報８４３と、安全ミーティング実施記録画像Ｅｘｉｆタグ８４４とから構成されている。
【０３８２】
安全ミーティング実施記録画像８４１は、図２４（ａ）に示されている黒板写真８６０のような、安全ミーティングの内容が撮影されている画像である。この画像は、安全ミーティング帳票に貼付されて表示される。安全ミーティング帳票は、安全ミーティング実施記録画像８４１と、安全ミーティングへの参加者の画像とを、合成して作成される。
【０３８３】
実施記録画像ファイル名８４２は、撮影される安全ミーティング実施記録画像８４１を示すファイル名である。このファイル名は、重複が発生しないように、自動的に生成される。
【０３８４】
安全ミーティング実施記録画像付加情報８４３には、作業現場ＩＤ８４５が含まれている。作業現場ＩＤ８４５は、作業現場ＩＤ８０４と同様に、作業現場ごとに１個だけ割り当てられるように構成される数字、または、記号と数字の組合せである。
【０３８５】
撮影者は、安全ミーティング実施記録画像８４１を撮影する前または後に、ＧＰＳ機能付きカメラ８のメモ機能を利用して、作業現場に割り当てられている作業現場ＩＤ８４５を入力する。ＧＰＳ機能付きカメラ８に入力される作業現場ＩＤ８４５が、安全ミーティング実施記録画像付加情報８４３に含まれている作業現場ＩＤ８４５に記録される。
【０３８６】
安全ミーティング実施記録画像付加情報８４３は、安全ミーティング実施記録画像８４１と安全ミーティングへの参加者の画像とを関連づける情報として使用される。
【０３８７】
安全ミーティング実施記録画像Ｅｘｉｆタグ８４４は、撮影される画像の１枚毎に付加されて記録されるデータであり、位置情報（緯度、経度）８４６と、時刻情報８４７を含んでいる。
【０３８８】
位置情報（緯度、経度）８４６は、安全ミーティング実施記録画像８４１を撮影したときのＧＰＳ機能付きカメラ８の位置情報であり、緯度と経度で表現される。
【０３８９】
時刻情報８４７は、安全ミーティング実施記録画像８４１を撮影したときの時刻である。
【０３９０】
このようにしてＧＰＳ機能付きカメラ８で作成される実施記録情報８４０が、ＧＰＳ機能付きカメラ８に装着されているＳＤメモリカード８０に記憶されて、保存される。
【０３９１】
図２４（ｂ）には、安全ミーティングへの参加者の集合写真８６１の一例が示されている。参加者が安全ミーティングに参加したことを証明できるように、複数の参加者の顔が認識できるような画像になっている。また、１枚の集合写真８６１では、安全ミーティングに参加した全員を撮影できない場合には、複数の画像を撮影して、全員の顔が認識できるようにする。
【０３９２】
図２４（ｂ）に示されている、安全ミーティングへの参加者の集合写真８６１は、実施の形態１に係る安全管理システム１００と同様に取り扱われる。すなわち、この集合写真８６１が、安全ミーティング参加者画像８５１として使用される。
【０３９３】
安全ミーティング参加者画像８５１を含むデータを、ＧＰＳ機能付きカメラ８と安全管理者用ＰＣ４の間で受け渡しするときのデータの構成としては、図２６に示されているような参加者画像情報８５０が使用される。
【０３９４】
参加者画像情報８５０は、安全ミーティング参加者画像８５１と、参加者画像ファイル名８５２と、安全ミーティング参加者画像付加情報８５３と、安全ミーティング参加者画像Ｅｘｉｆタグ８５４とから構成されている。
【０３９５】
参加者画像情報８５０は、図２５に示されている実施記録情報８４０と同様の形式をしている。安全ミーティング参加者画像８５１も、安全ミーティング実施記録画像８４１も、同一のＧＰＳ機能付きカメラ８で撮影されるため、ＧＰＳ機能付きカメラ８で画像を保存する際に構成されるデータの形式が同じになるからである。
【０３９６】
安全ミーティング参加者画像８５１として、安全ミーティングへの参加者の画像が撮影されること以外、参加者画像情報８５０のその他の項目の説明は、図２５に示されている実施記録情報８４０について行った説明と同様であるため、省略する。
【０３９７】
なお、安全ミーティング参加者画像付加情報８５３は、安全ミーティング実施記録画像８４１と安全ミーティング参加者画像８５１とを関連づける情報として使用される。
【０３９８】
また、参加者画像情報８５０は、図９に示されている参加者画像情報８１０と一部を除いて類似の構成をしている。相違点は、参加者画像情報８５０が、安全ミーティング参加者画像付加情報８５３を含むことである。
【０３９９】
このようにしてＧＰＳ機能付きカメラ８で作成される参加者画像情報８５０が、ＧＰＳ機能付きカメラ８に装着されているＳＤメモリカード８０に記憶されて、保存される。
【０４００】
図２４（ａ）と図２４（ｂ）に示されている画像は、どちらも、ＧＰＳ機能付きカメラ８を用いて撮影される画像である。このため、図２４（ａ）に示されている黒板写真８６０に基づいて作成される実施記録情報８４０（図２５参照）と、図２４（ｂ）に示されている集合写真８６１に基づいて作成される参加者画像情報８５０（図２６参照）は、上述したように同様のデータの形式になっている。
【０４０１】
しかし、図２４（ａ）に示されている黒板写真８６０は、安全ミーティング実施記録画像８４１の役割を担っており、一方、図２４（ｂ）に示されている集合写真８６１は、安全ミーティング参加者画像８１１の役割を担っている。このように、黒板写真８６０と集合写真８６１とでは、それぞれ役割が異なっている。
【０４０２】
以上が、ＧＰＳ機能付きカメラ８についての説明である。
【０４０３】
次に、図２３に示されているＳＤメモリカード８０について説明する。
【０４０４】
「外部記憶デバイス」であるＳＤメモリカード８０は、データの記憶と、ＧＰＳ機能付きカメラ８と安全管理者用ＰＣ４の間のデータの受け渡しに使用される。ＳＤメモリカード８０以外にも、ＵＳＢメモリなどの外部メモリを使用することができる。また、データの受け渡しには、ＧＰＳ機能付きカメラ８と安全管理者用ＰＣ４を有線で接続して行ってもよい。さらに、ＧＰＳ機能付きカメラ８と安全管理者用ＰＣ４をインターネット６などの情報通信ネットワークに接続して、データの受け渡しを行ってもよい。
【０４０５】
以上が、ＳＤメモリカード８０についての説明である。
【０４０６】
次に、図２３に示されている顔認証サーバ５について説明する。
【０４０７】
顔認証サーバ５の説明は、上述のように実施の形態１に係る安全管理システム１００において行っているため、重複する内容については省略する。
【０４０８】
顔認証サーバ５では、図２６に示されている参加者画像情報８５０に含まれている安全ミーティング参加者画像８５１に基づいて、安全ミーティングへの参加者を特定した後に、図１２に示されている参加記録情報８３０を作成する。
【０４０９】
参加記録情報８３０は、安全ミーティング参加記録８３１と安全ミーティング参加記録付加情報８３２から構成されている。
【０４１０】
安全ミーティング参加記録付加情報８３２に含まれている作業現場ＩＤ８３４には、参加者画像情報８５０に含まれている作業現場ＩＤ８５５の内容が記録される。
【０４１１】
また、安全ミーティング参加記録付加情報８３２に含まれている検出元参加者画像ファイル名８３５には、参加者画像情報８５０に含まれている参加者画像ファイル名８５２の内容が記録される。
【０４１２】
このように、参加者画像情報８５０に基づいて、作業現場ＩＤ８３４と検出元参加者画像ファイル名８３５の両方に記録が行われることが、実施の形態１に係る安全管理システム１００との相違点である。
【０４１３】
以上が、顔認証サーバ５についての説明である。
【０４１４】
次に、図２３に示されている安全管理者用ＰＣ４について説明する。
【０４１５】
この実施の形態２に係る安全管理システム１０１において、安全管理者用ＰＣ４は、ＧＰＳ機能付きカメラ８によって作成される実施記録情報８４０と参加者画像情報８５０を、ＳＤメモリカード８０を介して取得して、安全ミーティング帳票を作成して、画面に表示する。
【０４１６】
安全管理者用ＰＣ４の概略ブロック図が、図５に示されている。図５に示されているブロック図については、すでに説明を行ったため、説明を省略する。
【０４１７】
ただし、安全管理者用ＰＣ４の補助記憶部（ハードディスク）４８には、安全ミーティング帳票の出力要求を入力できる画面を表示させるソフトウェアや、安全ミーティング帳票を作成するソフトウェアなどが組み込まれている。
【０４１８】
この安全管理システム１０１では、安全管理者用ＰＣ４の外部記憶デバイス接続部４５が、ＳＤメモリカード８０に接続されて、実施記録情報８４０を読み出して、受け付けるため、「実施記録受付部」に該当する。また、外部記憶デバイス接続部４５は、ＳＤメモリカード８０に接続されて、参加者画像情報８５０を読み出して、受け付けるため、「参加者画像受付部」にも該当する。
【０４１９】
そして、安全管理者用ＰＣ制御部４０が、安全管理者用ＰＣ４の内部の各要素の制御を行ったり、データ処理を行ったりすることによって、安全ミーティング帳票が作成されて、ＬＣＤ４２に表示される。
【０４２０】
この安全管理システム１０１では、安全管理者用ＰＣ制御部４０が、ＳＤメモリカード８０を介して取得される実施記録情報８４０や参加者画像情報８５０に基づいて、安全ミーティング帳票を作成するため、「帳票作成部」に該当する。
【０４２１】
上述したように、ＧＰＳ機能付きカメラ８を用いて撮影することにより、安全ミーティング実施記録画像８４１を含む実施記録情報８４０と、安全ミーティング参加者画像８５１を含む参加者画像情報８５０が作成される。このようにして作成される実施記録情報８４０と参加者画像情報８５０は、ＧＰＳ機能付きカメラ８に装着されているＳＤメモリカード８０に保存される。このＳＤメモリカード８０をＧＰＳ機能付きカメラ８から取り外して、安全管理者用ＰＣ４の外部記憶デバイス接続部４５に装着することにより、安全管理者用ＰＣ４は、ＳＤメモリカード８０から実施記録情報８４０と参加者画像情報８５０を読み出して取得できるようになる。ＳＤメモリカード８０から取得される実施記録情報８４０と参加者画像情報８５０は、補助記憶部（ハードディスク）４８に保存することもできる。
【０４２２】
実施記録情報８４０と参加者画像情報８５０を安全管理者用ＰＣ４に取得した後、安全管理者は、安全管理者用ＰＣ４を操作することにより、安全ミーティング帳票を作成させて表示させることができる。
【０４２３】
安全管理者は、図２０に示されるような帳票出力画面をＬＣＤ４２に表示させて、キーボード４３を操作して安全ミーティング帳票の出力要求を行うことができる。このようにすることで、安全ミーティング帳票が作成される。
【０４２４】
また、安全管理者用ＰＣ４のデータ通信部４１は、インターネット６に接続されている。このため、安全管理者用ＰＣ４は、インターネット６を介して、取得した参加者画像情報８５０を顔認証サーバ５に向けて送信することができる。こうすることにより、顔認証サーバ５では、参加者画像情報８５０に含まれる安全ミーティング参加者画像８５１に顔が写っている参加者について、参加記録情報８３０が作成されて、安全管理者用ＰＣ４に向けて送信される。
【０４２５】
安全管理者用ＰＣ４では、データ通信部４１によって、顔認証サーバ５から送信されてくる参加記録情報８３０が受信されて、補助記憶部（ハードディスク）４８、または、主記憶部（ＲＡＭ）４７に記憶される。
【０４２６】
この安全管理システム１０１では、データ通信部４１が、顔認証サーバ５から送信されてくる参加記録情報８３０を受信して、受け付けるため、「参加記録受付部」に該当する。
【０４２７】
安全管理者用ＰＣ４では、実施記録情報８４０、参加者画像情報８５０、参加記録情報８３０に基づいて、安全ミーティング帳票が作成される。
【０４２８】
ここで、同一の安全ミーティングに基づいて作成された実施記録情報８４０と、参加者画像情報８５０と、参加記録情報８３０を抽出する方法について説明する。
【０４２９】
実施記録情報８４０と、参加者画像情報８５０と、参加記録情報８３０は、作業現場ＩＤと、日付により関連づけられている。この関連づけ情報に基づいて安全ミーティングが特定されて、特定される安全ミーティングと同一の安全ミーティングに基づいて作成された記録であることが検出できるようになっている。
【０４３０】
これは、同一日付の作業現場において、安全ミーティングが複数存在することはないため、作業現場ＩＤと日付により安全ミーティングを特定することができるという理由による。大規模の工事で複数の工事箇所が同時に発生する場合には、区画番号や工区名で作業現場を分けて作業現場ＩＤを作成することにより、異なる安全ミーティングを同一の安全ミーティングであると誤って検出することを回避できる。
【０４３１】
図２５に示されているように実施記録情報８４０には、時刻情報８４７と作業現場ＩＤ８４５が記録されている。
【０４３２】
時刻情報８４７は、日付と、時分秒とから構成されているため、日付を検出することができる。すなわち、実施記録情報８４０からは、日付と作業現場ＩＤ８４５を読み取ることができる。
【０４３３】
同様に、図２６に示されている参加者画像情報８５０には、時刻情報８５７と作業現場ＩＤ８５５が記録されており、これらの内容から、日付と作業現場ＩＤ８５５を読み取ることができる。
【０４３４】
また、図１２に示されているように参加記録情報８３０には、日付８３３と作業現場ＩＤ８３４が記録されている。
【０４３５】
作業現場ＩＤは、上述したように、作業現場ごとに１個だけ割り当てられるように構成されており、同一の作業現場について、作業現場ＩＤ８４５、作業現場ＩＤ８５５、作業現場ＩＤ８３４は、すべて同一となるように記録されている。したがって、作業現場ＩＤを参照することにより、作業現場をただ一つに決定することができる。
【０４３６】
また、同一の安全ミーティングに対する記録であれば、日付は一致する。
【０４３７】
安全ミーティングは、同一の作業現場で一日一回しか行われないため、作業現場ＩＤから作業現場が分かり、日付が分かれば、記録されている複数の安全ミーティングの中から、一つの安全ミーティングを特定することができる。
【０４３８】
以上は、実施記録情報８４０と、参加者画像情報８５０と、参加記録情報８３０を関連づける情報として、作業現場ＩＤと日付を用いる方法を説明した。しかし、この他にも、上述したように、関連づけ情報として、例えば、位置情報（緯度、経度）と時刻情報を用いて、次のように関連づけをすることができる。
【０４３９】
図２５に示されるように実施記録情報８４０には、位置情報（緯度、経度）８４６と時刻情報８４７が記録されている。また、図２６に示されるように参加者画像情報８５０には、位置情報（緯度、経度）８５６と時刻情報８５７が記録されている。これらは、安全ミーティング実施記録画像８４１と安全ミーティング参加者画像８５１を撮影したときのＧＰＳ機能付きカメラ８の位置情報と、撮影したときの時刻を表している。
【０４４０】
一方、図１２に示されているように参加記録情報８３０には、位置情報（緯度、経度）と時刻情報が記録されていない。しかし、参加記録情報８３０は、顔認証サーバ５に参加者画像情報８５０を入力することにより作成されるため、入力される参加者画像情報８５０に記録されている位置情報（緯度、経度）８５６と時刻情報８５７を使用して、参加記録情報８３０の安全ミーティング参加記録付加情報８３２に位置情報（緯度、経度）と時刻情報を追加して記録することができる。
【０４４１】
このようにした上で、例えば、参加者画像情報８５０に記録されている、位置情報（緯度、経度）８５６と時刻情報８５７を基準にして、実施記録情報８４０に記録されている位置情報（緯度、経度）８４６と時刻情報８４７のそれぞれの差異、及び、参加記録情報８３０の安全ミーティング参加記録付加情報８３２に追加して記録される位置情報（緯度、経度）と時刻のそれぞれの差異を計算して、その差異が所定の閾値以下であるという条件を設定することができる。このように設定される条件を満足する実施記録情報８４０、参加者画像情報８５０、参加記録情報８３０を同一の安全ミーティングに基づく記録と判定して、関連づけを行うようにしてもよい。
【０４４２】
なお、同一の安全ミーティングに基づいて記録されているかどうかの判定に用いられる位置情報（緯度、経度）の差異の閾値や、時刻情報の差異の閾値は、安全管理者用ＰＣ４にあらかじめ記憶させておくことができる。
【０４４３】
以上のように、実施記録情報８４０、参加者画像情報８５０、参加記録情報８３０を関連づける情報に基づいて、同一の安全ミーティングに対する情報を取り出すことができる。
【０４４４】
次に、同一の安全ミーティングに基づいて作成されている、実施記録情報８４０、参加者画像情報８５０、参加記録情報８３０を用いて、安全ミーティング帳票を作成する方法について説明する。
【０４４５】
この実施の形態２に係る安全管理システム１０１では、安全ミーティング帳票として図１５に示されているリスクアセスメントＫＹ活動表９０２、図１６に示されている安全ミーティング本人確認リスト９０９、図１７に示されているリスクアセスメントＫＹ活動表９１３が作成される。
【０４４６】
これらの安全ミーティング帳票の書式は、一例であり、変更可能であることはもちろんである。
【０４４７】
また、安全ミーティング帳票として、リスクアセスメントＫＹ活動表９０２、安全ミーティング本人確認リスト９０９、リスクアセスメントＫＹ活動表９１３からなる３種類の書式を備える必要もない。このうちの１種類または２種類の書式から構成してもよいし、さらに、新たな書式を追加してもよい。
【０４４８】
なお、この実施の形態２に係る安全管理システム１０１では、安全ミーティング実施記録が文字によって入力されないため、図１４に示されているリスクアセスメントＫＹ活動表９００は、作成されない。
【０４４９】
図１５に示されているリスクアセスメントＫＹ活動表９０２は、実施記録情報８４０と、参加者画像情報８５０とを、合成して作成される。
【０４５０】
実施記録情報８４０と参加者画像情報８５０には、時刻情報（時刻情報８４７、時刻情報８５７）が記録されている。時刻情報は、日付と、時分秒とから構成されているため、日付を検出することができる。このようにして求めた日付は、リスクアセスメントＫＹ活動表９０２の右上部に記載される。
【０４５１】
また、実施記録情報８４０と参加者画像情報８５０には、作業現場ＩＤ（作業現場ＩＤ８４５、作業現場ＩＤ８５５）が記録されている。作業現場ＩＤは、作業現場ごとに１個だけ割り当てられるように構成されるため、作業現場の特定に使用することができる。このようにして、作業現場ＩＤから特定される作業現場が、リスクアセスメントＫＹ活動表９０２の「現場」の欄に記載される。
【０４５２】
さらに、リスクアセスメントＫＹ活動表９０２の「天候」、「社名またはグループ名」、「リーダー」、「作業概要」の欄には、安全管理者が、安全ミーティング実施記録画像８４１に表示されている内容などを参考にしながら、安全管理者用ＰＣ４のキーボード４３に入力して、記載することもできる。
【０４５３】
図１５に示されているリスクアセスメントＫＹ活動表９０２には、２枚の画像が貼付されている。左側の黒板写真９０３の画像は、安全ミーティング実施記録画像８４１である図２４（ａ）に示されている黒板写真８６０が貼付されたものである。また、右側の集合写真９０６の画像は、安全ミーティング参加者画像８５１である図２４（ｂ）に示されている集合写真８６１が貼付されたものである。
【０４５４】
実施の形態１では、この２枚の画像（黒板写真９０３、集合写真９０６）は、いずれも、安全ミーティング参加者画像８１１として貼付されていたものである。
【０４５５】
このように、リスクアセスメントＫＹ活動表９０２の左側の画像（黒板写真９０３）について、実施の形態１では、安全ミーティング参加者画像８１１の役割を担い、実施の形態２では、安全ミーティング実施記録画像８４１の役割を担うという相違がある。
【０４５６】
そして、実施の形態２では、左側の画像（黒板写真９０３）に表示されている内容が、安全ミーティングの記録として取り扱われる。
【０４５７】
リスクアセスメントＫＹ活動表９０２の下部には、「時刻」と「座標」の欄が記載されている。左側の「時刻９０４」と「座標９０５」は、安全ミーティング実施記録画像８４１である黒板写真８６０が撮影されたときの「時刻」と、そのときのＧＰＳ機能付きカメラ８の「座標」である。右側の「時刻９０７」と「座標９０８」は、安全ミーティング参加者画像８５１である集合写真８６１が撮影されたときの「時刻」と、そのときのＧＰＳ機能付きカメラ８の「座標」である。
【０４５８】
図１６に示されている安全ミーティング本人確認リスト９０９は、参加記録情報８３０に基づいて作成される。
【０４５９】
図１２に示されている「日付８３３」の内容は、安全ミーティング本人確認リスト９０９の右上部に記載される。
【０４６０】
また、参加記録情報８３０には、作業現場ＩＤ８３４が記録されており、この作業現場ＩＤ８３４が、安全ミーティング本人確認リスト９０９の「現場名９１０」の欄に記載される。
【０４６１】
安全ミーティング本人確認リスト９０９の「参加者９１１」と「安全ミーティング状況９１２」の欄は、図１２に示されている、安全ミーティング参加記録８３１に含まれる「リソース名」と「参加確認」の内容がそれぞれ転記される。
【０４６２】
図１７に示されているリスクアセスメントＫＹ活動表９１３は、実施記録情報８４０と、参加者画像情報８５０と、参加者画像情報８５０に含まれている安全ミーティング参加者画像８５１の撮影位置に対応する地図とを、合成して作成される。
【０４６３】
安全ミーティング参加者画像８５１の撮影位置は、参加者画像情報８５０に含まれている位置情報（緯度、経度）８５６に記録されている。
【０４６４】
リスクアセスメントＫＹ活動表９１３の作成に先立って、安全管理者用ＰＣ４では、参加者画像情報８５０に含まれている位置情報（緯度、経度）８５６に対応する地図データが、ＧＩＳ用地理情報提供サーバ９からインターネット６を介して取得される。
【０４６５】
リスクアセスメントＫＹ活動表９１３に記載される日付、「現場」、「天候」、「社名またはグループ名」、「リーダー」、「作業概要」の欄には、図１５に示されているリスクアセスメントＫＹ活動表９０２と同様の記載が行われる。
【０４６６】
図１７に示されているリスクアセスメントＫＹ活動表９１３には、２枚の画像が貼付されている。この２枚の画像は、いずれも、安全ミーティング参加者画像８１１の撮影位置に対応する地図が貼付されたものである。左側の画像は、広い範囲が表示されている作業現場位置図９１４であり、右側の画像は、撮影位置の周囲が拡大して表示されている作業現場箇所図９１７である。
【０４６７】
リスクアセスメントＫＹ活動表９１３の下部の欄には、「時刻」と「座標」が記載されている。「時刻（時刻９１５、時刻９１８）」は、安全ミーティング参加者画像８５１が撮影されたときの時刻である。すなわち、図２６に示されている参加者画像情報８５０に含まれている時刻情報８５７の内容が記載される。
【０４６８】
また、「座標（座標９１６、座標９１９）」は、安全ミーティング参加者画像８５１が撮影されたときのＧＰＳ機能付きカメラ８の座標である。すなわち、図２６に示されている参加者画像情報８５０に含まれている位置情報（緯度、経度）８５６の内容が記載される。
【０４６９】
以上が、図１５から図１７に示されている安全ミーティング帳票の作成方法についての説明である。
【０４７０】
なお、図２６に示されるように参加者画像情報８５０には、位置情報（緯度、経度）８５６と時刻情報８５７が記録されている。図１５に示されているリスクアセスメントＫＹ活動表９０２に貼付されている安全ミーティング参加者画像８５１が複数ある場合、それらの画像の間の位置情報（緯度、経度）８５６の差異や、時刻情報８５７の差異が、所定の閾値を超える場合には、警告を発生するようにしてもよい。これは、リスクアセスメントＫＹ活動表９０２に誤った画像が貼付されている可能性を注意喚起するために行われる。
【０４７１】
また、実施記録情報８４０にも位置情報（緯度、経度）８４６と時刻情報８４７が記録されている。このため、実施記録情報８４０の位置情報（緯度、経度）８４６と参加者画像情報８５０の位置情報（緯度、経度）８５６の差異と、実施記録情報８４０の時刻情報８４７と参加者画像情報８５０の時刻情報８５７との差異について、所定の閾値を決めておき、位置情報の差異、または、時刻の差異のいずれか一方が閾値を超える場合に、警告を発生するようにしてもよい。これは、安全ミーティング実施記録画像８４１と、安全ミーティング参加者画像８５１との関連づけが間違って行われているおそれを注意喚起するために行われる。
【０４７２】
このようにして作成される安全ミーティング帳票は、安全管理者用ＰＣ４のＬＣＤ４２に表示されるため、安全管理者は安全ミーティング帳票を閲覧することができる。また、必要に応じて、プリンタ接続部４４に接続されているプリンタを用いて、安全ミーティング帳票を印刷することもできる。
【０４７３】
以上が、図２３に示されている安全管理者用ＰＣ４についての説明である。
【０４７４】
次に、この実施の形態２に係る安全管理システム１０１の使用方法について説明する。
【０４７５】
安全ミーティングが実施されると、ＧＰＳ機能付きカメラ８を用いて、安全ミーティングの内容が記載されている黒板の画像と、安全ミーティングへの参加者の画像が撮影される。その後、撮影された黒板の画像と安全ミーティングへの参加者の画像が保存されているＳＤメモリカード８０を、ＧＰＳ機能付きカメラ８から取り外して、安全管理者用ＰＣ４に装着する。安全管理者用ＰＣ４では、これらの画像に基づいて、安全ミーティング帳票が作成されて、表示される。
【０４７６】
図２７には、安全ミーティング帳票を作成するときの安全管理システム１０１の使用方法について、概略的に説明するフローチャートが示されている。
【０４７７】
安全ミーティングが実施された（Ｓ３０ステップ）後、現場管理者は、安全ミーティングの実施内容が記載されている黒板の写真を、ＧＰＳ機能付きカメラ８を使用して撮影する（Ｓ８３０ステップ）。この黒板写真８６０が安全ミーティング実施記録画像８４１となる。撮影された黒板写真８６０は、図２５に示されているような実施記録情報８４０の形式で、ＧＰＳ機能付きカメラ８に装着されているＳＤメモリカード８０に記憶されて保存される。
【０４７８】
また、現場管理者は、安全ミーティングへの参加者の集合写真を、ＧＰＳ機能付きカメラ８を使用して撮影する（Ｓ８３１ステップ）。この集合写真８６１が安全ミーティング参加者画像８５１となる。撮影された集合写真８６１は、図２６に示されているような参加者画像情報８５０の形式で、ＳＤメモリカード８０に記憶されて保存される。
【０４７９】
このＳＤメモリカード８０は、ＧＰＳ機能付きカメラ８から取り外されて（Ｓ８３２ステップ）、自由に持ち運ぶことができる。
【０４８０】
このＳＤメモリカード８０を、安全管理者用ＰＣ４に装着する。こうすることにより、安全管理者用ＰＣ４は、ＳＤメモリカード８０に保存されている、黒板写真８６０に基づいて作成されている実施記録情報８４０と、集合写真８６１に基づいて作成されている参加者画像情報８５０を読み出して取得する（Ｓ４３０ステップ）。
【０４８１】
ここで、参加記録情報８３０を作成するために、参加者画像情報８５０が、安全管理者用ＰＣ４から、インターネット６を介して、顔認証サーバ５に向けて送信される（Ｓ４３１ステップ）。
【０４８２】
顔認証サーバ５では、安全管理者用ＰＣ４から送信されてくる参加者画像情報８５０を受信して（Ｓ５３０ステップ）、参加者画像情報８５０に含まれる安全ミーティング参加者画像８５１に顔が写っているすべての参加者を顔認証の処理によって特定する（Ｓ５３１ステップ）。
【０４８３】
顔認証により特定される安全ミーティングへの参加者について、顔認証サーバ５では、参加記録情報８３０を作成して、安全管理者用ＰＣ４に向けて送信する（Ｓ５３２ステップ）。
【０４８４】
このようにして参加者画像情報８５０に基づいて、顔認証サーバ５で作成される参加記録情報８３０が、安全管理者用ＰＣ４に受信される（Ｓ４３２ステップ）。
【０４８５】
その後、安全管理者用ＰＣ４では、安全ミーティング帳票が作成される（Ｓ４３３ステップ）。安全ミーティング帳票を作成する際、安全管理者用ＰＣ４は、安全ミーティング参加者画像８５１が撮影された位置の地図データを、ＧＩＳ用地理情報提供サーバ９から取得する。以上のようにして得られる地図データを含む情報に基づいて安全ミーティング帳票が作成される。作成される安全ミーティング帳票は、安全管理者用ＰＣ４のＬＣＤ４２に表示されて閲覧や印刷ができる（Ｓ４３４ステップ）ようになっている。
【０４８６】
以上が、この安全管理システム１０１の使用方法の説明である。
【０４８７】
次に、この実施の形態２に係る安全管理システム１０１により認められる効果を説明する。
【０４８８】
この安全管理システム１０１によれば、実施の形態１に係る安全管理システム１００と同様の効果が得られる。
【０４８９】
また、この安全管理システム１０１によれば、実施記録情報８４０と参加者画像情報８１０とが、ＳＤメモリカード８０を介して安全管理者用ＰＣ４に受け付けられる。このため、情報通信ネットワークに接続されていないコストダウンした簡単な構成でも、実施記録情報８４０と参加者画像情報８１０に基づいて、安全ミーティング帳票を作成することができる。
【０４９０】
さらに、この安全管理システム１０１によれば、実施記録情報８４０と参加者画像情報８５０は、同一の作業現場に割り当てられる同一の作業現場ＩＤ（作業現場ＩＤ８４５と作業現場ＩＤ８５５）を共通して含み、この同一の作業現場ＩＤに基づいて、安全ミーティング実施記録画像８４１と、安全ミーティング参加者画像８５１とが、関連づけされて安全ミーティング帳票が作成させる。このため、安全ミーティング実施記録画像８４１と、安全ミーティング参加者画像８５１とを、誤ることなく確実に関連づけることができる。
【０４９１】
またさらに、この安全管理システム１０１によれば、参加記録情報８３０は、実施記録情報８４０と参加者画像情報８５０に共通して含まれる同一の作業現場ＩＤ８３４を含み、この同一の作業現場ＩＤ８３４に基づいて、安全ミーティング実施記録画像８４１と、安全ミーティング参加者画像８５１と、安全ミーティング参加記録８３１とが、関連づけされて安全ミーティング帳票が作成させる。このため、安全ミーティング実施記録画像８４１と、安全ミーティング参加者画像８５１と、安全ミーティング参加記録８３１とを、誤ることなく確実に関連づけることができる。
【０４９２】
さらにまた、この安全管理システム１０１によれば、安全ミーティング実施記録は、安全ミーティングの実施内容が記載されている黒板などの表示物を撮影した画像を含んでいる。文字入力することなく、画像を撮影することにより、安全ミーティング実施記録が作成されるため、文字入力の手間を省くことができて省力化できる。
【０４９３】
［発明の実施の形態３］
この発明の実施の形態３について、図２８及び図２９を用いて説明する。
【０４９４】
図２８は、本発明に係る安全管理システム１０２の全体構成を示す概略ブロック図である。このシステムは、安全ミーティング帳票の作成を行うことができる。
【０４９５】
この機能を実現するために、この安全管理システム１０２は、現場管理者用スマートフォン２、顔認証サーバ５、インターネット６、ＧＰＳシステム７、ＧＩＳ用地理情報提供サーバ９を含む構成になっている。
【０４９６】
この安全管理システム１０２の動作の概要は、次のようになる。
【０４９７】
安全ミーティングを行う現場管理者は、現場管理者用スマートフォン２に、安全ミーティングの記録を入力するとともに、現場管理者用スマートフォン２を用いて、安全ミーティングへの参加者の画像を撮影する。
【０４９８】
現場管理者用スマートフォン２では、入力される安全ミーティングの記録と、撮影される安全ミーティングへの参加者の画像を合成して、安全ミーティング帳票が作成される。
【０４９９】
以下に、図２８に示されている現場管理者用スマートフォン２について説明する。
【０５００】
現場管理者用スマートフォン２以外の、顔認証サーバ５、インターネット６、ＧＰＳシステム７、ＧＩＳ用地理情報提供サーバ９の説明は、この発明の実施の形態１に係る安全管理システム１００と重複するため、省略する。
【０５０１】
また、現場管理者用スマートフォン２についても、安全ミーティング帳票を作成する機能以外は、実施の形態１に係る安全管理システム１００における現場管理者用スマートフォン２と同様である。
【０５０２】
現場管理者用スマートフォン２の概略ブロック図が、図２に示されている。図２に示されているブロック図については、すでに説明を行ったため、説明を省略する。
【０５０３】
ただし、現場管理者用スマートフォン２の補助記憶部（フラッシュメモリ）２８には、安全ミーティングの記録の入力画面を表示させるソフトウェアや、安全ミーティング帳票を作成するソフトウェアなどが組み込まれている。
【０５０４】
そして、現場管理者用スマートフォン制御部２０が、現場管理者用スマートフォン２の内部の各要素の制御を行ったり、データ処理を行ったりすることによって、安全ミーティング帳票が作成されて、タッチパネル付きＬＣＤ２２に表示される。
【０５０５】
この安全管理システム１０２では、現場管理者用スマートフォン制御部２０が、入力される安全ミーティングの記録や、撮影される安全ミーティングへの参加者の画像に基づいて、安全ミーティング帳票を作成するため、「帳票作成部」に該当する。
【０５０６】
現場管理者用スマートフォン２のタッチパネル付きＬＣＤ２２には、図７（ｅ１）から図７（ｅ３）に示されているような安全ミーティングの入力画面が表示される。現場管理者は、タッチパネル付きＬＣＤ２２に安全ミーティングの記録を入力する。
【０５０７】
このようにして、入力される安全ミーティングの記録が、安全ミーティング実施記録８０１となる。
【０５０８】
タッチパネル付きＬＣＤ２２が、安全ミーティング実施記録８０１を入力できる「入力部」に該当する。
【０５０９】
安全ミーティング実施記録８０１は、図８に示されているような実施記録情報８００のデータの構成として、補助記憶部（フラッシュメモリ）２８に記憶されて保存される。
【０５１０】
この安全管理システム１０２では、安全ミーティング帳票作成時に、現場管理者用スマートフォン制御部２０が、タッチパネル付きＬＣＤ２２に入力されて作成される実施記録情報８００を、補助記憶部（フラッシュメモリ）２８から取り出して、受け付ける。このため、現場管理者用スマートフォン制御部２０が、「実施記録受付部」に該当する。
【０５１１】
また、現場管理者は、現場管理者用スマートフォン２のカメラモジュール（ＣＭＯＳエリアセンサ）２３を用いて、安全ミーティングへの参加者の画像を撮影する。
【０５１２】
このようにして、撮影される安全ミーティングへの参加者の画像が、安全ミーティング参加者画像８１１となる。
【０５１３】
カメラモジュール（ＣＭＯＳエリアセンサ）２３が、安全ミーティング参加者画像８１１を撮影できる「撮像部」に該当する。
【０５１４】
安全ミーティング参加者画像８１１は、図９に示されているような参加者画像情報８１０のデータの構成として、補助記憶部（フラッシュメモリ）２８に記憶されて保存される。
【０５１５】
この安全管理システム１０２では、安全ミーティング帳票作成時に、現場管理者用スマートフォン制御部２０が、カメラモジュール（ＣＭＯＳエリアセンサ）２３により撮影されて作成される参加者画像情報８１０を、補助記憶部（フラッシュメモリ）２８から取り出して、受け付ける。このため、現場管理者用スマートフォン制御部２０が、「参加者画像受付部」に該当する。
【０５１６】
また、現場管理者用スマートフォン２は、インターネット６を介して、参加者画像情報８１０を顔認証サーバ５に向けて送信することができる。顔認証サーバ５では、参加者画像情報８１０に含まれる安全ミーティング参加者画像８１１に顔が写っている参加者について参加記録情報８３０が作成される。そして、作成される参加記録情報８３０が、現場管理者用スマートフォン２に向けて送信される。
【０５１７】
現場管理者用スマートフォン２では、モバイルデータ通信部２１によって、顔認証サーバ５から送信されてくる参加記録情報８３０が受信されて、補助記憶部（フラッシュメモリ）２８、または、主記憶部（ＲＡＭ）２７に記憶される。
【０５１８】
この安全管理システム１０２では、モバイルデータ通信部２１が、顔認証サーバ５から送信されてくる参加記録情報８３０を受信して、受け付けるため、「参加記録受付部」に該当する。
【０５１９】
現場管理者用スマートフォン２では、実施記録情報８００、参加者画像情報８１０、参加記録情報８３０に基づいて、安全ミーティング帳票が作成されるようになっている。
【０５２０】
同一の安全ミーティングに基づいて作成された実施記録情報８００と、参加者画像情報８１０と、参加記録情報８３０を抽出する方法については、上述した実施の形態１に係る安全管理システム１００における説明と同様である。
【０５２１】
すなわち、実施記録情報８００と、参加者画像情報８１０と、参加記録情報８３０は、作業現場ＩＤと、日付と、参加者画像ファイル名により関連づけられている。この関連づけ情報に基づいて安全ミーティングが特定されて、特定される安全ミーティングと同一の安全ミーティングに基づいて作成された記録であることが検出できるようになっている。
【０５２２】
また、同一の安全ミーティングに基づいて作成されている、実施記録情報８００、参加者画像情報８１０、参加記録情報８３０を用いて、安全ミーティング帳票を作成する方法も上述した方法と同様である。作成される安全ミーティング帳票は、図１４に示されているようなリスクアセスメントＫＹ活動表９００、図１５に示されているようなリスクアセスメントＫＹ活動表９０２、図１６示されているような安全ミーティング本人確認リスト９０９、図１７に示されているようなリスクアセスメントＫＹ活動表９１３である。
【０５２３】
作成される安全ミーティング帳票は、現場管理者用スマートフォン２に表示されたり、また、必要に応じて、インターネット６に接続されているプリンタを利用して印刷されたりする。
【０５２４】
以上が、図２８に示されている現場管理者用スマートフォン２についての説明である。
【０５２５】
次に、この実施の形態３に係る安全管理システム１０２の使用方法について説明する。
【０５２６】
安全ミーティングが実施されると、現場管理者用スマートフォン２を用いて、安全ミーティングの記録が入力されて、安全ミーティングへの参加者の画像が撮影される。その後、現場管理者用スマートフォン２では、入力される安全ミーティングの記録と、安全ミーティングへの参加者の画像を使用して、安全ミーティング帳票が作成されて、表示される。
【０５２７】
図２９には、安全ミーティング帳票を作成するときの安全管理システム１０２の使用方法について、概略的に説明するフローチャートが示されている。
【０５２８】
安全ミーティングが実施された（Ｓ４０ステップ）後、現場管理者は、安全ミーティングの記録を、現場管理者用スマートフォン２に入力する（Ｓ２４０ステップ）。入力される安全ミーティングの記録が、安全ミーティング実施記録８０１となる。この安全ミーティング実施記録８０１に基づいて、実施記録情報８００が作成されて、補助記憶部（フラッシュメモリ）２８に記憶されて、保存される。
【０５２９】
また、現場管理者は、安全ミーティングへの参加者の画像を、現場管理者用スマートフォン２を用いて撮影する（Ｓ２４１ステップ）。この画像が安全ミーティング参加者画像８１１となる。安全ミーティング参加者画像８１１に基づいて、参加者画像情報８１０が作成されて、補助記憶部（フラッシュメモリ）２８に記憶されて、保存される。
【０５３０】
ここで、参加記録情報８３０を作成するために、参加者画像情報８１０が、現場管理者用スマートフォン２から、インターネット６を介して、顔認証サーバ５に向けて送信される（Ｓ２４２ステップ）。
【０５３１】
顔認証サーバ５では、現場管理者用スマートフォン２から送信されてくる参加者画像情報８１０を受信して（Ｓ５４０ステップ）、参加者画像情報８１０に含まれる安全ミーティング参加者画像８１１に顔が写っているすべての参加者を顔認証の処理によって特定する（Ｓ５４１ステップ）。
【０５３２】
顔認証により特定される安全ミーティングへの参加者について、顔認証サーバ５では、参加記録情報８３０を作成して、現場管理者用スマートフォン２に向けて送信する（Ｓ５４２ステップ）。
【０５３３】
このようにして参加者画像情報８１０に基づいて、顔認証サーバ５で作成される参加記録情報８３０が、現場管理者用スマートフォン２に受信される（Ｓ２４３ステップ）。
【０５３４】
その後、現場管理者用スマートフォン２では、安全ミーティング帳票が作成される（Ｓ２４４ステップ）。安全ミーティング帳票を作成する際、現場管理者用スマートフォン２は、安全ミーティング参加者画像８１１が撮影された位置の地図データを、ＧＩＳ用地理情報提供サーバ９から取得する。以上のようにして得られる地図データを含む情報に基づいて安全ミーティング帳票が作成される。作成される安全ミーティング帳票は、現場管理者用スマートフォン２のタッチパネル付きＬＣＤ２２に表示されて閲覧ができる（Ｓ２４５ステップ）ようになっている。
【０５３５】
以上が、この安全管理システム１０２の使用方法の説明である。
【０５３６】
次に、この実施の形態３に係る安全管理システム１０２により認められる効果を説明する。
【０５３７】
この安全管理システム１０２によれば、実施の形態１に係る安全管理システム１００と同様の効果が得られる。
【０５３８】
また、この安全管理システム１０２によれば、現場管理者用スマートフォン２には入力部であるタッチパネル付きＬＣＤ２２と、撮像部であるカメラモジュール（ＣＭＯＳエリアセンサ）２３が備えられており、タッチパネル付きＬＣＤ２２から安全ミーティング実施記録８０１が入力されて、カメラモジュール（ＣＭＯＳエリアセンサ）２３により安全ミーティング参加者画像８１１が撮影される。このため、情報通信ネットワークや外部記憶デバイスへの接続を必要とせず、コストダウンした簡単な構成でも、実施記録情報８００と参加者画像情報８１０に基づいて、安全ミーティング帳票を作成することができる。
【符号の説明】
【０５３９】
１００，１０１，１０２  安全管理システム
１  管理システムサーバ
２  現場管理者用スマートフォン
３  現場作業員用スマートフォン
４  安全管理者用ＰＣ
５  顔認証サーバ
６  インターネット
７  ＧＰＳシステム
８  ＧＰＳ機能付きカメラ
８０  ＳＤメモリカード
９  ＧＩＳ用地理情報提供サーバ
１０  管理システムサーバ制御部
１１，４１，５１  データ通信部
１２  管理システムデータベース
１３，５３  表示部
１４，５４  入力部
１５，２６，３６，４６，５５  ＣＰＵ
１６，２７，３７，４７，５６  主記憶部（ＲＡＭ）
１７，４８，５７  補助記憶部（ハードディスク）
２０  現場管理者用スマートフォン制御部
２１，３１  モバイルデータ通信部
２２，３２  タッチパネル付きＬＣＤ
２３，３３  カメラモジュール（ＣＭＯＳエリアセンサ）
２４，３４  ＧＰＳモジュール
２５，３５  時計（リアルタイムクロック）
２８，３８  補助記憶部（フラッシュメモリ）
３０  現場作業員用スマートフォン制御部
４０  安全管理者用ＰＣ制御部
４２  ＬＣＤ
４３  キーボード
４４  プリンタ接続部
４５  外部記憶デバイス接続部
５０  顔認証サーバ制御部
５２  顔認証データベース
２０９，８６１，９０６  集合写真
２１０，８６０，９０３  黒板写真
２０５，９１０  現場名
２１１，９０１，９１１  参加者
８００，８４０  実施記録情報
８０１  安全ミーティング実施記録
８０２  安全ミーティング実施記録付加情報
８０３，８２３，８３３  日付
８０４，８２４，８３４，８４５，８５５  作業現場ＩＤ
８０５  画像連番
８０６  関連参加者画像ファイル名
８１０，８５０  参加者画像情報
８１１，８５１  安全ミーティング参加者画像
８１２  参加者画像ファイル名
８１３，８５４  安全ミーティング参加者画像Ｅｘｉｆタグ
８１４，８４６，８５６  位置情報（緯度、経度）
８１５，８４７，８５７  時刻情報
８２０  日報情報
８２１  日報
８２２  日報付加情報
８３０  参加記録情報
８３１  安全ミーティング参加記録
８３２  安全ミーティング参加記録付加情報
８３５  検出元参加者画像ファイル名
８４１  安全ミーティング実施記録画像
８４２  実施記録画像ファイル名
８４３  安全ミーティング実施記録画像付加情報
８４４  安全ミーティング実施記録画像Ｅｘｉｆタグ
８５２  参加者画像ファイル名
８５３  安全ミーティング参加者画像付加情報
９００，９０２，９１３  リスクアセスメントＫＹ活動表
９０４，９０７，９１５，９１８  時刻
９０５，９０８，９１６，９１９  座標
９０９  安全ミーティング本人確認リスト
９１２  安全ミーティング状況
９１４  作業現場位置図
９１７  作業現場箇所図
【図１】
2020067686.tif 000003
【図２】
2020067686.tif 000004
【図３】
2020067686.tif 000005
【図４】
2020067686.tif 000006
【図５】
2020067686.tif 000007
【図６】
2020067686.tif 000008
【図７】
2020067686.tif 000009
【図８】
2020067686.tif 000010
【図９】
2020067686.tif 000011
【図１０】
2020067686.tif 000012
【図１１】
2020067686.tif 000013
【図１２】
2020067686.tif 000014
【図１３】
2020067686.tif 000015
【図１４】
2020067686.tif 000016
【図１５】
2020067686.tif 000017
【図１６】
2020067686.tif 000018
【図１７】
2020067686.tif 000019
【図１８】
2020067686.tif 000020
【図１９】
2020067686.tif 000021
【図２０】
2020067686.tif 000022
【図２１】
2020067686.tif 000023
【図２２】
2020067686.tif 000024
【図２３】
2020067686.tif 000025
【図２４】
2020067686.tif 000026
【図２５】
2020067686.tif 000027
【図２６】
2020067686.tif 000028
【図２７】
2020067686.tif 000029
【図２８】
2020067686.tif 000030
【図２９】
2020067686.tif 000031